(57)【要約】【課題】信頼性向上を図ることが可能な入力装置を提供する。【解決手段】入力装置１は、基板１０と、基板１０の上面１１に設けられた複数のＸ電極線２２を有するＸ電極２１と、基板１０の下面１２に設けられた複数のＹ電極線３２を有するＹ電極３１と、を備え、電極線２２，３２は、複数の単位形状４０を連続的に繰り返して形成された繰返し形状をそれぞれ有し、Ｘ電極２１は、単位形状４０を含むと共にＹ方向に沿って延在して複数のＸ電極線２２を電気的に接続するＸ中間接続線２７を有し、Ｙ電極３１は、単位形状４０を含むと共にＸ方向に沿って延在して複数のＹ電極線３２を電気的に接続するＹ中間接続線３７を有し、Ｘ電極２１は、Ｙ中間接続線３７に対応するＸ電極線２２が形成されていないＸ非形成部分２３を有し、Ｙ電極３１は、Ｘ中間接続線２７に対応するＹ電極線３２が除去されたＹ非形成部分３３を有する。【選択図】  図５
2015165377.tif 000002
【特許請求の範囲】
【請求項１】
基板と、
前記基板の一方の主面に設けられ、第１の方向に沿って延在すると共に相互に実質的に平行に配列された複数の第１の電極線を有する少なくとも一つの第１の電極と、
前記基板の他方の主面に設けられ、前記第１の方向に交差する第２の方向に沿って延在すると共に相互に実質的に平行に配列された複数の第２の電極線を有する少なくとも一つの第２の電極と、を備えた入力装置であって、
前記第１及び前記第２の電極線は、複数の単位形状を連続的に繰り返して形成された繰返し形状をそれぞれ有しており、
前記第１の電極は、前記単位形状の少なくとも一部を含むと共に前記第２の方向に沿って延在して複数の前記第１の電極線を電気的に接続する少なくとも一つの第１の中間接続線を有し、
前記第２の電極は、前記単位形状の少なくとも一部を含むと共に前記第１の方向に沿って延在して複数の前記第２の電極線を電気的に接続する少なくとも一つの第２の中間接続線を有しており、
前記第１の電極は、複数の前記第１の電極線の中で前記第２の中間接続線に対応する前記第１の電極線が形成されていない第１の非形成部分を有し、
前記第２の電極は、複数の前記第２の電極線の中で前記第１の中間接続線に対応する前記第２の電極線が形成されていない第２の非形成部分を有していることを特徴とする入力装置。
【請求項２】
第１の基板と、
前記第１の基板に対向する第２の基板と、
前記第１の基板の主面に設けられ、第１の方向に沿って延在すると共に相互に実質的に平行に配列された複数の第１の電極線を有する少なくとも一つの第１の電極と、
前記第２の基板の主面に設けられ、前記第１の方向に交差する第２の方向に沿って延在すると共に相互に実質的に平行に配列された複数の第２の電極線を有する少なくとも一つの第２の電極と、を備えた入力装置であって、
前記第１及び前記第２の電極線は、複数の単位形状を連続的に繰り返して形成された繰返し形状をそれぞれ有しており、
前記第１の電極は、前記単位形状の少なくとも一部を含むと共に前記第２の方向に沿って延在して複数の前記第１の電極線を電気的に接続する少なくとも一つの第１の中間接続線を有し、
前記第２の電極は、前記単位形状の少なくとも一部を含むと共に前記１の方向に沿って延在して複数の前記第２の電極線を電気的に接続する少なくとも一つの第２の中間接続線を有しており、
前記第１の電極は、複数の前記第１の電極線の中で前記第２の中間接続線に対応する前記第１の電極線が形成されていない第１の非形成部分を有し、
前記第２の電極は、複数の前記第２の電極線の中で前記第１の中間接続線に対応する前記第２の電極線が形成されていない第２の非形成部分を有していることを特徴とする入力装置。
【請求項３】
請求項１又は２に記載の入力装置であって、
前記第１の中間接続線は、前記第１の方向における前記第１の電極線の一端と他端との間で複数の前記第１の電極線を電気的に接続しており、
前記第２の中間接続線は、前記第２の方向における前記第２の電極線の一端と他端との間で複数の前記第２の電極線を電気的に接続していることを特徴とする入力装置。
【請求項４】
請求項１〜３のいずれか一項に記載の入力装置であって、
前記単位形状は、直線状に折り曲がった折曲形状、又は、凸状円弧と凹状円弧からなる湾曲形状であり、
前記繰り返し形状は、三角波型の繰り返し形状、又は、正弦波型の繰り返し形状であることを特徴とする入力装置。
【請求項５】
請求項１〜４のいずれか一項に記載の入力装置であって、
前記第１の電極は、前記第１の方向に沿って相互に隣り合う２つの前記第２の中間接続線の間の部分に対応するように前記第１の非形成部分に設けられ、前記第１の方向に沿って延在すると共に前記単位形状の少なくとも一部を含む少なくとも一つの第１の補助線を有し、
前記第２の電極は、前記第２の方向に沿って相互に隣り合う２つの前記第１の中間接続線の間の部分に対応するように前記第２の非形成部分に設けられ、前記第２の方向に沿って延在すると共に前記単位形状の少なくとも一部を含む少なくとも一つの第２の補助線を有していることを特徴とする入力装置。
【請求項６】
請求項５に記載の入力装置であって、
前記第１の方向に沿って相互に隣り合う２つの前記第２の中間接続線と、前記第１の補助線とは、平面視において前記繰返し形状を形成し、
前記第２の方向に沿って相互に隣り合う２つの前記第１の中間接続線と、前記第２の補助線とは、平面視において前記繰返し形状を形成していることを特徴とする入力装置。
【請求項７】
請求項５又は６に記載の入力装置であって、
前記第１の補助線は、前記第１の中間接続線と交差しており、
前記第２の補助線は、前記第２の中間接続線と交差していることを特徴とする入力装置。
【請求項８】
請求項５又は６に記載の入力装置であって、
前記第１の補助線は、前記第１の中間接続線と非交差であり、
前記第２の補助線は、前記第２の中間接続線と非交差であることを特徴とする入力装置。
【請求項９】
請求項１〜８のいずれか一項に記載の入力装置であって、
前記タッチパネルは、複数の前記第１の電極と、複数の前記第２の電極と、を備え、
下記の（１）〜（３）式を満たすことを特徴とする入力装置。
Ｐ２＝Ｍ×Ｐ１  …  （１）
Ｐ４＝Ｎ×Ｐ３  …  （２）
Ｐ１＝Ｐ３  …  （３）
但し、上記の（１）〜（３）式において、Ｐ１は、前記第１の電極線間のピッチであり、Ｐ２は、前記第１の電極間のピッチであり、Ｐ３は、前記第２の電極線間のピッチであり、Ｐ４は、前記第２の電極間のピッチであり、Ｍは、２以上の自然数であり、Ｎは、２以上の自然数である。
【請求項１０】
請求項１〜９のいずれか一項に記載の入力装置であって、
前記入力装置は、複数の前記第１の電極と、複数の前記第２の電極と、を備え、
複数の前記第１の電極は、複数の前記第１の電極の間に第１のスペースが形成されるように、前記第２の方向に並べられ、
複数の前記第２の電極は、複数の前記第２の電極の間に第２のスペースが形成されるように、前記第１の方向に並べられており、
複数の前記第１の中間接続線は、前記第２のスペースに対応する少なくとも一つの第１の介在接続線を含み、
複数の前記第２の中間接続線は、前記第１のスペースに対応する少なくとも一つの第２の介在接続線を含むことを特徴とする入力装置。
【請求項１１】
請求項１０に記載の入力装置であって、
前記入力装置は、
前記第１のスペースに配置され、前記第１の方向に沿って延在すると共に前記単位形状の少なくとも一部を含む少なくとも一つの第１のダミー線と、
前記第２のスペースに配置され、前記第２の方向に沿って延在すると共に前記単位形状の少なくとも一部を含む少なくとも一つの第２のダミー線と、をさらに備えており、
前記第１の方向に沿って相互に隣り合う２つの前記第２の介在接続線と、前記第１のダミー電極とは、平面視において前記繰返し形状を形成しており、
前記第２の方向に沿って相互に隣り合う２つの前記第１の介在接続線と、前記第２のダミー線とは、平面視において前記繰返し形状を形成していることを特徴とする入力装置。
【請求項１２】
請求項５に記載の入力装置であって、
前記入力装置は、複数の前記第１の電極と、複数の前記第２の電極と、を備え、
複数の前記第１の電極は、複数の前記第１の電極の間に第１のスペースが形成されるように、前記第２の方向に並べられ、
複数の前記第２の電極は、複数の前記第２の電極の間に第２のスペースが形成されるように、前記第１の方向に並べられており、
前記入力装置は、前記第１の方向に沿って相互に隣り合う２つの前記第１の補強線の間の部分に対応するように前記第２のスペースに設けられ、前記第１の方向に沿って延在すると共に前記単位形状の少なくとも一部を含む少なくとも一つの第３のダミー線を備えており、
前記第１の方向に沿って相互に隣り合う２つの前記第２の中間接続線と、前記第２の中間接続線の間に介在する前記第１の補助線及び前記第３のダミー線とは、平面視において前記繰返し形状を形成し、
前記第２の方向に沿って相互に隣り合う２つの前記第１の中間接続線と、前記第２の補助線とは、平面視において前記繰返し形状を形成していることを特徴とする入力装置。
【発明の詳細な説明】
【技術分野】
【０００１】
本発明は、タッチパネルやタッチパッド等の入力装置に関するものである。
【背景技術】
【０００２】
透明基板の両面に相互に直交するように形成された金属電極を備え、それぞれの金属電極は、平行に繰り返して配列された複数の単位電極線から構成され、単位電極線は所定間隔で形成された複数の折曲部を有する直線で形成されているタッチパネルが知られている（例えば特許文献１参照）。
【先行技術文献】
【特許文献】
【０００３】
【特許文献１】特開２０１３−５８１８０号公報
【発明の概要】
【発明が解決しようとする課題】
【０００４】
上記のタッチパネルでは、複数の単位電極が端部のみで並列接続されているため、単位電極線が途中で断線すると、その断線した単位電極線が延在方向の全域に亘って位置検出に寄与しなくなり、タッチパネルの信頼性が低下する、という問題がある。
【０００５】
本発明が解決しようとする課題は、信頼性向上を図ることが可能な入力装置を提供することである。
【課題を解決するための手段】
【０００６】
［１］本発明に係る入力装置は、基板と、前記基板の一方の主面に設けられ、第１の方向に沿って延在すると共に相互に実質的に平行に配列された複数の第１の電極線を有する少なくとも一つの第１の電極と、前記基板の他方の主面に設けられ、前記第１の方向に交差する第２の方向に沿って延在すると共に相互に実質的に平行に配列された複数の第２の電極線を有する少なくとも一つの第２の電極と、を備えた入力装置であって、前記第１及び前記第２の電極線は、複数の単位形状を連続的に繰り返して形成された繰返し形状をそれぞれ有しており、前記第１の電極は、前記単位形状の少なくとも一部を含むと共に前記第２の方向に沿って延在して複数の前記第１の電極線を電気的に接続する少なくとも一つの第１の中間接続線を有し、前記第２の電極は、前記単位形状の少なくとも一部を含むと共に前記第１の方向に沿って延在して複数の前記第２の電極線を電気的に接続する少なくとも一つの第２の中間接続線を有しており、前記第１の電極は、複数の前記第１の電極線の中で前記第２の中間接続線に対応する前記第１の電極線が形成されていない第１の非形成部分を有し、前記第２の電極は、複数の前記第２の電極線の中で前記第１の中間接続線に対応する前記第２の電極線が形成されていない第２の非形成部分を有していることを特徴とする。
【０００７】
［２］本発明に係る入力装置は、第１の基板と、前記第１の基板に対向する第２の基板と、前記第１の基板の主面に設けられ、第１の方向に沿って延在すると共に相互に実質的に平行に配列された複数の第１の電極線を有する少なくとも一つの第１の電極と、前記第２の基板の主面に設けられ、前記第１の方向に交差する第２の方向に沿って延在すると共に相互に実質的に平行に配列された複数の第２の電極線を有する少なくとも一つの第２の電極と、を備えた入力装置であって、前記第１及び前記第２の電極線は、複数の単位形状を連続的に繰り返して形成された繰返し形状をそれぞれ有しており、前記第１の電極は、前記単位形状の少なくとも一部を含むと共に前記第２の方向に沿って延在して複数の前記第１の電極線を電気的に接続する少なくとも一つの第１の中間接続線を有し、前記第２の電極は、前記単位形状の少なくとも一部を含むと共に前記１の方向に沿って延在して複数の前記第２の電極線を電気的に接続する少なくとも一つの第２の中間接続線を有しており、前記第１の電極は、複数の前記第１の電極線の中で前記第２の中間接続線に対応する前記第１の電極線が形成されていない第１の非形成部分を有し、前記第２の電極は、複数の前記第２の電極線の中で前記第１の中間接続線に対応する前記第２の電極線が形成されていない第２の非形成部分を有していることを特徴とする。
【０００８】
［３］上記発明において、前記第１の中間接続線は、前記第１の方向における前記第１の電極線の一端と他端との間で複数の前記第１の電極線を電気的に接続しており、前記第２の中間接続線は、前記第２の方向における前記第２の電極線の一端と他端との間で複数の前記第２の電極線を電気的に接続していてもよい。
【０００９】
［４］上記発明において、前記単位形状は、直線状に折り曲がった折曲形状、又は、凸状円弧と凹状円弧からなる湾曲形状であり、前記繰り返し形状は、三角波型の繰り返し形状、又は、正弦波型の繰り返し形状であってもよい。
【００１０】
［５］上記発明において、前記第１の電極は、前記第１の方向に沿って相互に隣り合う２つの前記第２の中間接続線の間の部分に対応するように前記第１の非形成部分に設けられ、前記第１の方向に沿って延在すると共に前記単位形状の少なくとも一部を含む少なくとも一つの第１の補助線を有し、前記第２の電極は、前記第２の方向に沿って相互に隣り合う２つの前記第１の中間接続線の間の部分に対応するように前記第２の非形成部分に設けられ、前記第２の方向に沿って延在すると共に前記単位形状の少なくとも一部を含む少なくとも一つの第２の補助線を有してもよい。
【００１１】
［６］上記発明において、前記第１の方向に沿って相互に隣り合う２つの前記第２の中間接続線と、前記第１の補助線とは、平面視において前記繰返し形状を形成し、前記第２の方向に沿って相互に隣り合う２つの前記第１の中間接続線と、前記第２の補助線とは、平面視において前記繰返し形状を形成していてもよい。
【００１２】
［７］上記発明において、前記第１の補助線は、前記第１の中間接続線と交差しており、前記第２の補助線は、前記第２の中間接続線と交差していてもよい。
【００１３】
［８］上記発明において、前記第１の補助線は、前記第１の中間接続線と非交差であり、前記第２の補助線は、前記第２の中間接続線と非交差であってもよい
【００１４】
［９］上記発明において、前記入力装置は、複数の前記第１の電極と、複数の前記第２の電極と、を備え、下記の（１）〜（３）式を満たしてもよい。
【００１５】
Ｐ２＝Ｍ×Ｐ１  …  （１）
Ｐ４＝Ｎ×Ｐ３  …  （２）
Ｐ１＝Ｐ３  …  （３）
【００１６】
但し、上記の（１）〜（３）式において、Ｐ１は、前記第１の電極線間のピッチであり、Ｐ２は、前記第１の電極間のピッチであり、Ｐ３は、前記第２の電極線間のピッチであり、Ｐ４は、前記第２の電極間のピッチであり、Ｍは、２以上の自然数であり、Ｎは、２以上の自然数である。
【００１７】
［１０］上記発明において、前記入力装置は、複数の前記第１の電極と、複数の前記第２の電極と、を備え、複数の前記第１の電極は、複数の前記第１の電極の間に第１のスペースが形成されるように、前記第２の方向に並べられ、複数の前記第２の電極は、複数の前記第２の電極の間に第２のスペースが形成されるように、前記第１の方向に並べられており、複数の前記第１の中間接続線は、前記第２のスペースに対応する少なくとも一つの第１の介在接続線を含み、複数の前記第２の中間接続線は、前記第１のスペースに対応する少なくとも一つの第２の介在接続線を含んでもよい。
【００１８】
［１１］上記発明において、前記入力装置は、前記第１のスペースに配置され、前記第１の方向に沿って延在すると共に前記単位形状の少なくとも一部を含む少なくとも一つの第１のダミー線と、前記第２のスペースに配置され、前記第２の方向に沿って延在すると共に前記単位形状の少なくとも一部を含む少なくとも一つの第２のダミー線と、をさらに備えており、前記第１の方向に沿って相互に隣り合う２つの前記第２の介在接続線と、前記第１のダミー電極とは、平面視において前記繰返し形状を形成しており、前記第２の方向に沿って相互に隣り合う２つの前記第１の介在接続線と、前記第２のダミー線とは、平面視において前記繰返し形状を形成していてもよい。
【００１９】
［１２］上記発明において、前記入力装置は、複数の前記第１の電極と、複数の前記第２の電極と、を備え、複数の前記第１の電極は、複数の前記第１の電極の間に第１のスペースが形成されるように、前記第２の方向に並べられ、複数の前記第２の電極は、複数の前記第２の電極の間に第２のスペースが形成されるように、前記第１の方向に並べられており、前記入力装置は、前記第１の方向に沿って相互に隣り合う２つの前記第１の補強線の間の部分に対応するように前記第２のスペースに設けられ、前記第１の方向に沿って延在すると共に前記単位形状の少なくとも一部を含む少なくとも一つの第３のダミー線を備えており、前記第１の方向に沿って相互に隣り合う２つの前記第２の中間接続線と、前記第２の中間接続線の間に介在する前記第１の補助線及び前記第３のダミー線とは、平面視において前記繰返し形状を形成し、前記第２の方向に沿って相互に隣り合う２つの前記第１の中間接続線と、前記第２の補助線とは、平面視において前記繰返し形状を形成していてもよい。
【発明の効果】
【００２０】
本発明では、第２の方向に沿って延在する第１の中間接続線が複数の第１の電極線を電気的に接続しているため、第１の電極線が途中で断線しても、第１の中間接続線を介して当該第１の電極線の非断線部分を他の第１の電極線に電気的に接続することができる。同様に、本発明では、第１の方向に沿って延在する第２の中間接続線が複数の第２の電極線を電気的に接続しているため、第２の電極線が途中で断線しても、第２の中間接続線を介して当該第２の電極線の非断線部分を他の第２の電極線に電気的に接続することができる。このため、入力装置の信頼性の向上を図ることができる。
【００２１】
また、本発明では、第１の電極が第１の非形成部分を有しているため、第２の中間接続線が第１の電極線と重なることがない。同様に、本発明では、第２の電極が第２の非形成部分を有しているため、第１の中間接続線が第２の電極線と重なることがない。そのため、第１の電極線や第２の電極線が部分的に濃く見えてしまうことがないので、入力装置の良好な視認性を確保することもできる。
【図面の簡単な説明】
【００２２】
【図１】図１は、本発明の第１実施形態におけるタッチパネルを示す平面図である。
【図２】図２は、図１に示すタッチパネルの部分断面図である。
【図３】図３は、本発明の他の実施形態におけるタッチパネルを示す部分断面図である。
【図４】図４は、図１に示すタッチパネルのＸ電極を示す平面図である。
【図５】図５は、図４のV部の拡大図である。
【図６】図６（ａ）は、本発明の第１実施形態におけるＸ電極線を示す拡大平面図であり、図６（ｂ）は、本発明の第１実施形態におけるＸ電極線の変形例を示す拡大平面図である。
【図７】図７は、図１に示すタッチパネルのＹ電極を示す平面図である。
【図８】図８は、図７のVIII部の拡大図である。
【図９】図９は、図１のIX部の拡大図である。
【図１０】図１０（ａ）は、本発明の第１実施形態におけるＸ電極の第１変形例を示す平面図であり、図１０（ｂ）は、本発明の第１実施形態におけるＹ電極の第１変形例を示す平面図であり、図１０（ｃ）は、本発明の第１実施形態におけるＸＹ電極の第１変形例を示す平面図である。
【図１１】図１１（ａ）は、本発明の第１実施形態におけるＸ電極の第２変形例を示す平面図であり、図１１（ｂ）は、本発明の第１実施形態におけるＹ電極の第２変形例を示す平面図であり、図１１（ｃ）は、本発明の第１実施形態におけるＸＹ電極の第２変形例を示す平面図である。
【図１２】図１２（ａ）は、本発明の第１実施形態におけるＸ電極の第３変形例を示す平面図であり、図１２（ｂ）は、本発明の第１実施形態におけるＹ電極の第３変形例を示す平面図であり、図１２（ｃ）は、本発明の第１実施形態におけるＸＹ電極の第３変形例を示す平面図である。
【図１３】図１３（ａ）は、本発明の第１実施形態におけるＸ電極の第４変形例を示す平面図であり、図１３（ｂ）は、本発明の第１実施形態におけるＹ電極の第４変形例を示す平面図であり、図１３（ｃ）は、本発明の第１実施形態におけるＸＹ電極の第４変形例を示す平面図である。
【図１４Ａ】図１４Ａは、本発明の第２実施形態におけるタッチパネルのＸ電極を示す平面図である。
【図１４Ｂ】図１４Ｂは、本発明の第２実施形態におけるタッチパネルのＹ電極を示す平面図である。
【図１４Ｃ】図１４Ｃは、本発明の第２実施形態におけるタッチパネルのＸＹ電極を示す平面図である。
【図１５Ａ】図１５Ａは、本発明の第３実施形態におけるタッチパネルのＸ電極を示す平面図である。
【図１５Ｂ】図１５Ｂは、本発明の第３実施形態におけるタッチパネルのＹ電極を示す平面図である。
【図１６Ａ】図１６Ａは、本発明の第４実施形態におけるタッチパネルのＸ電極を示す平面図である。
【図１６Ｂ】図１６Ｂは、本発明の第４実施形態におけるタッチパネルのＹ電極を示す平面図である。
【図１６Ｃ】図１６Ｃは、本発明の第４実施形態におけるタッチパネルのＸＹ電極を示す平面図である。
【図１７Ａ】図１７Ａは、本発明の第５実施形態におけるタッチパネルのＸ電極を示す平面図である。
【図１７Ｂ】図１７Ｂは、本発明の第５実施形態におけるタッチパネルのＹ電極を示す平面図である。
【図１８Ａ】図１８Ａは、本発明の第６実施形態におけるタッチパネルのＸ電極を示す平面図である。
【図１８Ｂ】図１８Ｂは、本発明の第６実施形態におけるタッチパネルのＹ電極を示す平面図である。
【図１８Ｃ】図１８Ｃは、本発明の第６実施形態におけるタッチパネルのＸＹ電極を示す平面図である。
【図１９Ａ】図１９Ａは、本発明の第７実施形態におけるタッチパネルのＸ電極を示す平面図である。
【図１９Ｂ】図１９Ｂは、本発明の第７実施形態におけるタッチパネルのＹ電極を示す平面図である。
【図２０Ａ】図２０Ａは、本発明の第８実施形態におけるタッチパネルのＸ電極を示す平面図である。
【図２０Ｂ】図２０Ｂは、本発明の第８実施形態におけるタッチパネルのＹ電極を示す平面図である。
【図２１Ａ】図２１Ａは、本発明の第９実施形態におけるタッチパネルのＸ電極を示す平面図である。
【図２１Ｂ】図２１Ｂは、本発明の第９実施形態におけるタッチパネルのＹ電極を示す平面図である。
【発明を実施するための形態】
【００２３】
以下、本発明の実施形態を図面に基づいて説明する。
【００２４】
≪第１実施形態≫
図１及び図２は本実施形態におけるタッチパネルの平面図及び部分断面図、図３は他の実施形態におけるタッチパネルを示す部分断面図、図４及び図５はそのタッチパネルのＸ電極を示す平面図、図６（ａ）はＸ電極線を示す拡大平面図、図６（ｂ）はＸ電極線の変形例を示す拡大平面図、図７及び図８は本実施形態におけるタッチパネルのＹ電極を示す平面図、図９は本実施形態におけるタッチパネルのＸＹ電極の平面図である。
【００２５】
なお、図１、図４〜図５、及び、図７〜図９はいずれもタッチパネルを上方から見た図であり、特に、図７〜図８は透明基板１０を透過してＹ電極３１を見た平面図である。
【００２６】
本実施形態におけるタッチパネル１は、パソコン、タブレット型情報端末、スマートフォン等の電子機器の入力手段として用いられる。こうした電子機器においてタッチパネル１は液晶ディスプレイ等の表示装置上に配置され、当該表示装置に表示された画面上の選択肢を操作者が指で直接触れたり、専用のペンを用いて触れたりすることで、当該選択肢を選択することが可能となっている。なお、本実施形態におけるタッチパネル１が、本発明における入力装置の一例に相当する。
【００２７】
このタッチパネル１は、図１及び図２に示すように、透明基板１０と、透明基板１０の上面１１に設けられた複数の（本例では４つ）のＸ電極２１からなるＸ電極群２０と、透明基板１０の下面１２に設けられた複数（本例では４つ）のＹ電極３１からなるＹ電極群３０と、透明基板１０の上面１１を覆うカバー部材５０と、を備えている。
【００２８】
なお、Ｘ電極群２０を構成するＸ電極２１の数やＹ電極群３０を構成するＹ電極３１の数は特に限定されない。また、Ｘ電極群２０を透明基板１０の下面１２に設け、Ｙ電極群３０を透明基板１０の上面１１に設けてもよい。本実施形態における透明基板１０が本発明における基板の一例に相当する。
【００２９】
透明基板１０は、可視光線を透過可能な透明なガラス板から構成されており、図２に示すように、この透明基板１０の両面１１，１２にＸ電極２１及びＹ電極３１がそれぞれ形成されている。なお、透明基板１０を透明な樹脂基板で構成してもよく、具体的な樹脂材料としては、例えば、ポリエチレンテレフタレート（ＰＥＴ）、ポリエチレンナフタレート（ＰＥＮ）、ポリエチレン（ＰＥ）、ポリプロピレン（ＰＰ）、ポリスチレン（ＰＳ）、エチレン−酢酸ビニル共重合樹脂（ＥＶＡ）、ビニル系樹脂、ポリカーボネート（ＰＣ）、ポリアミド（ＰＡ）、ポリイミド（ＰＩ）、ポリビニルアルコール（ＰＶＡ）、アクリル樹脂、トリアセチルセルロース（ＴＡＣ）等を例示することができる。
【００３０】
カバー部材５０も、上述の透明基板１０と同様に、可視光線を透過可能な透明なガラス板や透明な樹脂基板から構成されており、透明接着剤１５を介して透明基板１０の上面１１を覆っており、操作者による入力時に指やペンが接触する入力面として機能する。透明接着層１５の具体例としては、例えば、アクリル系粘着剤等を例示することができる。
【００３１】
図示は省略するが、このカバー部材５０の下面５１には、例えば、白色インクや黒色インク等を塗布することで形成された枠状の遮蔽部分が設けられており、この遮蔽部分は、後述する透明基板１０の額縁領域１４（図１参照）に対向している。これにより、透明基板１０の額縁領域１４が遮蔽されている。
【００３２】
なお、白色や黒色に加飾された加飾部材をカバー部材５０の下面５１に貼り合わせることで、遮蔽部分を形成してもよい。或いは、カバー部材５０と略同じ大きさを有し、遮蔽部分に対応する部分のみが白色や黒色に着色された透明なシートを準備し、当該シートをカバー部材５０の下面５１に貼り付けることで、遮蔽部分を形成してもよい。
【００３３】
図３に示すように、Ｘ電極２１をカバー部材５０の下面５１に形成すると共に、Ｙ電極３１を透明基板１０の上面１１に形成し、透明接着層１５を介して透明基板１０とカバー部材５０を相互に積層してもよい。この場合には、カバー部材５０が本発明における第１の基板の一例に相当し、透明基板１０が本発明における第２の基板の一例に相当する。或いは、カバー部材５０とは別に透明基板を準備して、カバー部材５０にＸ電極２１を形成せずに、当該別の透明基板にＸ電極２１を形成すると共に、透明基板１０にＹ電極３１を形成してもよい。
【００３４】
図４及び図５に示すように、それぞれのＸ電極２１は、複数（本例では９本）のＸ電極線２２と、当該Ｘ電極線２２をその両端で接続する一対のＸ端部接続線２５と、Ｘ端部接続線２５から導出するＸ引出線２６と、を備えている。
【００３５】
それぞれのＸ電極線２２は、Ｘ方向に沿って延在するように透明基板１０の上面１１に設けられており、複数の単位形状４０を連続的に繰り返すことで形成されている。本実施形態では、図６（ａ）に示すように、個々の単位形状４０が屈曲点４１で直線状に折れ曲がった三角凸形状を有しており、Ｘ電極線２２は、全体として、三角凸形状と三角凹形状を交互に繰り返すジグザグな三角波型の繰り返し形状を有している。本実施形態では、単位形状４０は屈曲点４１において１２０度で折れ曲がっている（θ＝１２０°）。
【００３６】
図４及び図５に示すように、これら複数のＸ電極線２２は、屈曲点４１がＹ方向において実質的に一致するように相互に実質的に平行に配列されており、すなわち、複数のＸ電極線２２の屈曲点４１が、Ｙ方向に延在する同一の仮想直線上に位置している。また、本実施形態におけるＸ電極２１は、後述するＹ中間接続線３７に対応するＸ電極線２２が形成されていないＸ非形成部分（Ｘ除去部分）２３を有しており、換言すれば、このＸ非形成部分２３では、当該Ｙ中間接続線３７に対応するＸ電極線２２が除去されている。すなわち、本実施形態では、１つのＸ電極２１は、第１のピッチ（中心間距離）Ｐ１で配置された３本のＸ電極線２２からそれぞれ構成されたＸ電極線群２４を３組備え、当該Ｘ電極線群２４同士は、第１のピッチＰ１の４倍のピッチで配置されており、当該Ｘ電極線群２４の間にＸ非形成部分２３が設けられている。
【００３７】
なお、Ｘ電極２１を構成するＸ電極線２２の数、Ｘ電極線２２間のピッチ、Ｘ電極２１を構成するＸ電極線群２４の数、Ｘ電極線群２４間のピッチ、並びに、Ｘ電極２１におけるＸ非形成部分２３の数及び配置等は、図４及び図５に示す例に限定されない。また、Ｘ電極線群２４を構成するＸ電極線２２の数が相互に異なっていてもよい。
【００３８】
また、上述のＸ電極線２２を形成する単位形状４０は、屈曲点４１で直線状に折れ曲がった折曲形状に特に限定されない。例えば、図６（ｂ）に示す単位形状４０Ｂのように、中央に位置する凸状円弧４２と、当該凸状円弧４２の両端から連続的に広がる凹状円弧４３と、から構成される湾曲形状であってもよい。この場合には、同図に示すように、Ｘ電極線２２Ｂは、全体として、曲線凸形状と曲線凹形状を交互に繰り返す正弦波型の繰り返し形状を有する。
【００３９】
このＸ電極線２２は、導電性ペーストを透明基板１０の上面１１に印刷して硬化させることで形成されている。以下に説明する配線２５〜２９，３２，３５〜３９も同様に、導電性ペーストを透明基板１０の上面１１或いは下面１２に印刷して硬化させることで形成されている。こうした導電性ペーストとしては、例えば、銀（Ａｇ）や銅（Ｃｕ）等の金属粒子と、ポリエステルやポリフェノール等のバインダと、を混合したものを用いることができる。また、導電性ペーストを印刷する方法としては、例えば、スクリーン印刷、グラビアオフセット印刷、インクジェット印刷等を例示することができる。
【００４０】
なお、透明基板１０の両面１１，１２に貼り付けられた金属層をエッチング等によりパターニングすることで、上述の配線２２，２５〜２９，３２，３５〜３９を形成してもよい。
【００４１】
図４に示すように、一対のＸ端部接続線２５は、Ｘ方向に対して実質的に直交するＹ方向に沿って延在するように、透明基板１０の上面１１に設けられており、Ｘ電極２１を構成する９本のＸ電極線２２をその両端で電気的に並列接続している。Ｘ引出線２６も、透明基板１０の上面１１上に設けられており、一方（本例では図中右側）のＸ端部接続線２５から導出してタッチパネル駆動回路６０に電気的に接続されている。
【００４２】
因みに、Ｘ端部接続線２５やＸ引出線２６は、透明基板１０の額縁領域１４（図１参照）に設けられている。これに対し、上述のＸ電極線２２は、透明基板１０の中央領域１３（図１参照）に設けられている。額縁領域１４は透明基板１０において中央領域１３を囲んだ枠状の領域であり、上述のように、カバー部材５０の遮蔽部分により操作者が視認することのできなくなっているのに対し、透明領域１３は、透明基板１０の中央部分に位置しており、操作者が視認することが可能となっている。
【００４３】
以上に説明した複数（本例では４つ）のＸ電極２１は、図４及び図５に示すように、下記の（４）式を満たす第２のピッチＰ２でＹ方向に実質的に等間隔に並べられており、相互に隣り合うＸ電極２１の間にはＸ電極スペース２０１が設けられている。但し、下記の（４）式において、Ｍは２以上の自然数であり、本実施形態ではＭは１２である（Ｍ＝１２）。
【００４４】
Ｐ２＝Ｍ×Ｐ１  …  （４）
【００４５】
なお、Ｘ電極２１の間にＸ電極スペース２０１を設けなくてもよい。この場合には、上記の（４）式におけるＭは１１である（Ｍ＝１１）。
【００４６】
Ｙ電極３１も、図７及び図８に示すように、複数（本例では９本）のＹ電極線３２と、当該Ｙ電極線３２をその両端で接続する一対のＹ端部接続線３５と、Ｙ端部接続線３５から導出するＹ引出線３６と、を備えている。
【００４７】
それぞれのＹ電極線３２は、Ｙ方向に沿って延在するように透明基板１０の下面１２に設けられており、複数の単位形状４０を連続的に繰り返すことで形成されている。このＹ電極線３２を構成する単位形状４０は、屈曲点４１で直線状に折れ曲がった三角凸形状であり、上述のＸ電極線２２を構成する単位形状４０と同一の形状である。このＹ電極線３２は、全体として、三角凸形状と三角凹形状を交互に繰り返すジグザグな三角波型の繰り返し形状を有している。なお、このＹ電極線３２を構成する単位形状４０は、特に限定されず、上述のＸ電極線２２を構成する単位形状４０と同一でなくてもよい。
【００４８】
これら複数のＹ電極線３２は、屈曲点４１がＸ方向において実質的に一致するように相互に実質的に平行に配列されており、すなわち、複数のＹ電極線３２の屈曲点４１が、Ｘ方向に延在する同一の仮想直線上に位置している。また、本実施形態におけるＹ電極３１は、後述のＸ中間接続線２７に対応するＹ電極線３２が形成されていないＹ非形成部分（Ｙ除去部分）３３を有しており、換言すれば、このＹ非形成部分３３では、当該Ｘ中間接続線２７に対応するＹ電極線３２が除去されている。すなわち、本実施形態では、１つのＹ電極３１は、第３のピッチＰ３で配置された３本のＹ電極線３２からなるＹ電極線群３４を３組備え、当該Ｙ電極線群３４同士は、第３のピッチＰ３の４倍のピッチで配置されており、当該Ｙ電極線群３４の間にＹ非形成部分３３が設けられている。このＹ電極線３２間の第３のピッチＰ３と、上述のＸ電極線２２間の第１のピッチＰ１とは、下記の（５）式を満たしている。
【００４９】
Ｐ１＝Ｐ３  …  （５）
【００５０】
なお、Ｙ電極３１を構成するＹ電極線３２の数、Ｙ電極線３２間のピッチ、Ｙ電極３１を構成するＹ電極群３４の数、Ｙ電極線群３４間のピッチ、並びに、Ｙ電極３１におけるＹ非形成部分３３の数及び配置等は、図７及び図８に示す例に限定されない。また、Ｙ電極線群３４を構成するＹ電極線３２の数が相互に異なっていてもよい。
【００５１】
図７に示すように、一対のＹ端部接続線３５は、Ｘ方向に沿って延在するように、透明基板１０の下面１２に設けられており、Ｙ電極３１を構成する９本のＹ電極線３２をその両端で電気的に並列接続している。Ｙ引出線３６も、透明基板１０の下面１２に設けられており、一方（本例では図中下側）のＹ端部接続線３５から導出してタッチパネル駆動回路６０に電気的に接続されている。因みに、Ｙ端部接続線３５やＹ引出線３６は、透明基板１０の額縁領域１４（図１参照）に設けられているのに対し、上述のＹ電極線３２は、透明基板１０の中央領域１３（図１参照）に設けられている。
【００５２】
タッチパネル駆動回路６０は、例えば、Ｘ引出線２６及びＹ引出線３６を介してＸ電極２１とＹ電極３１との間に所定電圧を周期的に印加し、Ｘ電極２１及びＹ電極３１の交点毎の静電容量の変化に基づいてタッチパネル１上の指の位置を検出する。なお、本実施形態では、上述のようにいわゆる静電容量方式を採用しているが、特にこれに限定されず、抵抗膜方式を採用してもよい。
【００５３】
以上に説明した複数（本例では４つ）のＹ電極３１は、図７及び図８に示すように、下記の（６）式を満たす第４のピッチＰ４でＸ方向に実質的に等間隔に並べられており、相互に隣り合うＹ電極３１の間にはＹ電極スペース３０１が設けられている。但し、下記の（６）式において、Ｎは２以上の自然数であり、本実施形態ではＮは１２である（Ｎ＝１２）。すなわち、本実施形態では、Ｘ電極線２２間の第１のピッチＰ１とＹ電極線３２間の第３のピッチＰ３が同一であり（上記の（５）式を参照）、且つ、上述の自然数Ｍと自然数Ｎも同一であるので（Ｍ＝Ｎ）、結果的に、Ｘ電極２１間の第２のピッチＰ２とＹ電極３１間の第４のピッチＰ４は同一となっている（Ｐ２＝Ｐ４）。
【００５４】
Ｐ４＝Ｎ×Ｐ３  …  （６）
【００５５】
なお、Ｙ電極３１の間にＹ電極スペース３０１を設けなくてもよい。この場合には、上記の（２）式におけるＮは１１である（Ｎ＝１１）。また、Ｘ電極線２２間の第１のピッチＰ１とＹ電極線３２間の第３のピッチＰ３が同一である限り（上記の（５）式参照）、上述の自然数Ｍと自然数Ｎと異ならせてもよく、すなわち、Ｘ電極２１間の第２のピッチＰ２とＹ電極３１間の第４のピッチＰ４を異ならせてもよい（Ｐ２≠Ｐ４）。
【００５６】
本実施形態におけるＸ電極２１は、図４及び図５に示すように、Ｘ電極線２２同士を途中で電気的に接続する複数のＸ中間接続線２７をさらに備えている。
【００５７】
それぞれのＸ中間接続線２７は、Ｙ方向に沿って延在するように透明基板１０の上面１１に設けられ、複数（本例では３つ）の単位形状４０を連続的に繰り返すことで形成されており、Ｘ電極線２２の一端から他端との間で、Ｘ電極２１が有する複数のＸ電極線２２を電気的に接続している。また、このＸ中間接続線２７は、上述のＹ非形成部分３３やＹ電極スペース３０１に対応するように透明基板１０の上面１１に設けられ、平面視において、屈曲点４１がＸ方向において実質的に一致するようにＹ電極線３２と相互に実質的に平行に配列されている。結果的に、図１や図９に示すように、Ｘ中間接続線２７とＹ電極線３２は、平面視において、第３のピッチＰ３で実質的に等間隔に配置されている。なお、以下において、Ｘ中間接続線２７の中でもＹ電極スペース３０１に対応するものを「Ｘ介在接続線２７ａ」とも称する。
【００５８】
このＸ中間接続線２７を構成する単位形状４０は、屈曲点４１で直線状に折れ曲がった三角凸形状であり、上述のＹ電極線３２を構成する単位形状４０と同一の形状である。このＸ中間接続線２７は、全体として、三角凸形状と三角凹形状を交互に繰り返すジグザグな三角波型の繰り返し形状を有している。なお、このＸ中間接続線２７を構成する単位形状４０は、上述のＹ電極線３２を構成する単位形状４０と同一であれば、特に限定されない。
【００５９】
このＸ中間接続線２７の数や配置は、図４及び図５に示す例に限定されない。また、Ｘ中間接続線２７を構成する単位形状４０の数も上記の数に特に限定されず、１つの単位形状４０でＸ中間接続線２７を構成してもよい。また、Ｘ中間接続線２７が端部に完全な単位形状４０を含んでいなくてもよく、例えば、１／３の単位形状４０を含んでもよい。
【００６０】
また、図５に示す例では、Ｘ電極２１が有する９本のＸ電極線２２のうちの７本或いは８本のＸ電極線２２が、Ｘ中間接続線２７によって電気的に接続されているが、特にこれに限定されない。例えば、Ｘ電極２１が有する９本全てのＸ電極線２２を、Ｘ中間接続線２７によって電気的に接続してもよい。また、Ｘ中間接続線２７と交差しているＸ電極線２２の中の少なくとも一本が、Ｘ端部接続線２５に接続されていればよく、例えば、９本全てのＸ電極線２２がＸ中間接続線２７と交差している場合には、両端２本のＸ電極線２２をＸ端部接続線２５と接続しなくてもよい。
【００６１】
同様に、本実施形態におけるＹ電極３１も、図７及び図８に示すように、Ｙ電極線３２同士を途中で電気的に接続する複数のＹ中間接続線３７をさらに備えている。
【００６２】
それぞれのＹ中間接続線３７は、Ｘ方向に沿って延在するように透明基板１０の下面１２に設けられ、複数（本例では３つ）の単位形状４０を連続的に繰り返すことで形成されており、Ｙ電極線３２の一端から他端との間で、Ｙ電極３１が有する複数のＹ電極線３２を電気的に接続している。また、このＹ中間接続線３７は、上述のＸ非形成部分２３やＸ電極スペース２０１に対応するように透明基板１０の下面１２に設けられており、平面視において、屈曲点４１がＹ方向において実質的に一致するようにＸ電極線２２と相互に実質的に平行に配列されている。結果的に、図１や図９に示すように、Ｙ中間接続線２７とＸ電極線２２は、平面視において、第１のピッチＰ１で実質的に等間隔に配置されている。なお、以下において、Ｙ中間接続線３７の中でもＸ電極スペース２０２に対応するものを「Ｙ介在接続線３７ａ」とも称する。
【００６３】
このＹ中間接続線３７を構成する単位形状４０は、屈曲点４１で直線状に折れ曲がった三角凸形状であり、上述のＸ電極線２２を構成する単位形状４０と同一の形状である。このＹ中間接続線３７は、全体として、三角凸形状と三角凹形状を交互に繰り返すジグザグな三角波型の繰り返し形状を有している。なお、このＹ中間接続線３７を構成する単位形状４０は、上述のＸ電極線２２を構成する単位形状４０と同一であれば、特に限定されない。
【００６４】
このＹ中間接続線３７の数や配置は、図７及び図８に示す例に限定されない。また、Ｙ中間接続線３７を構成する単位形状４０の数も上記の数に特に限定されず、１つの単位形状４０でＹ中間接続線３７を構成してもよい。また、Ｙ中間接続線３７が端部に完全な単位形状４０を含んでいなくてもよく、例えば、１／３の単位形状４０を含んでもよい。
【００６５】
また、図８に示す例では、Ｙ電極３１が有する９本のＹ電極線３２のうちの７本或いは８本のＹ電極線３２が、Ｙ中間接続線３７によって電気的に接続されているが、特にこれに限定されない。例えば、Ｙ電極３１が有する９本全てのＹ電極線３２を、Ｙ中間接続線３７によって電気的に接続してもよい。また、Ｙ中間接続線３７と交差しているＹ電極線３２の中の少なくとも１本が、Ｙ端部接続線３５に接続されていればよく、例えば、９本全てのＹ電極線３２がＹ中間接続線３７と交差している場合には、両端２本のＹ電極線３２をＹ端部接続線３５と接続しなくてもよい。
【００６６】
さらに、本実施形態におけるＸ電極２１は、図４及び図５に示すように、Ｘ電極線２２の間に介在している複数のＸ補助線２８をさらに備えている。
【００６７】
それぞれのＸ補助線２８は、Ｘ方向に延在するように透明基板１０の上面１１に設けられ、一つの単位形状４０で形成されている。このＸ補助線２８は、上述のＸ非形成部分２３に設けられており、屈曲点４１がＹ方向において実質的に一致するようにＸ電極線２２と実質的に平行に配列されていると共に、相互に隣り合う２つのＹ中間接続線３７の間に配置されている。
【００６８】
結果的に、図９に示すように、このＸ補助線２８とＸ電極線２２は、第１のピッチＰ１で実質的に等間隔に配置されており、このＸ補助線２８は、平面視において、Ｙ中間接続線３７と共にジグザグな三角波型の繰り返し形状を形成している。また、このＸ補助線２８は、Ｘ介在接続線２７ａと交差しており、当該Ｘ介在接続線２７ａを介して、Ｘ電極線２２に電気的に接続されている。
【００６９】
このＸ補助線２８を構成する単位形状４０は、屈曲点４１で直線状に折れ曲がった三角凸形状であり、上述のＸ電極線２２を構成する単位形状４０と同一の形状である。なお、このＸ補助線２８を構成する単位形状４０は、上述のＸ電極線２２を構成する単位形状４０と同一であれば、特に限定されない。
【００７０】
このＸ補助線２８の数や配置は、図４及び図５に示す例に限定されない。また、Ｘ補助線２８を構成する単位形状４０の数も上記の数に特に限定されず、複数の単位形状４０でＸ補助線２８を構成してもよい。また、Ｘ補助線２８が、完全な単位形状４０を含んでいなくてもよい。例えば、対応するＹ中間接続線３７が端部に１／３の単位形状４０を含んでいる場合に、Ｘ補助線２８が、残りの２／３単位形状を有することで、Ｘ方向に沿った繰り返し形状が形成される。
【００７１】
同様に、本実施形態におけるＹ電極３１も、図７及び図８に示すように、Ｙ電極線３２の間に介在している複数のＹ補助線３８をさらに備えている。
【００７２】
それぞれのＹ補助線３８は、Ｙ方向に延在するように透明基板１０の下面１２に設けられ、一つの単位形状４０で形成されている。また、このＹ補助線３８は、上述のＹ非形成部分３３に設けられており、屈曲点４１がＸ方向において実質的に一致するようにＹ電極線３２と実質的に平行に配列されていると共に、相互に隣り合う２つのＸ中間接続線２７の間に配置されている。
【００７３】
結果的に、図９に示すように、このＹ補助線３８とＹ電極線３２は、第３のピッチＰ３で実質的に等間隔に配置されており、このＹ補助線３８は、平面視において、Ｘ中間接続線２７と共にジグザグな三角波型の繰り返し形状を形成している。また、このＹ補助線３８は、Ｙ介在接続線３７ａと交差しており、当該Ｙ介在接続線３７ａを介して、Ｙ電極線３２に電気的に接続されている。
【００７４】
このＹ補助線３８を構成する単位形状４０は、屈曲点４１で直線状に折れ曲がった三角凸形状であり、上述のＹ電極線３２を構成する単位形状４０と同一の形状である。なお、このＹ補助線３８を構成する単位形状４０は、上述のＹ電極線３２を構成する単位形状４０と同一であれば、特に限定されない。
【００７５】
このＹ補助線３８の数や配置は、図７及び図８に示す例に限定されない。また、Ｙ補助線３８を構成する単位形状４０の数も上記の数に特に限定されず、複数の単位形状４０でＹ補助線３８を構成してもよい。また、Ｙ補助線３８が、完全な単位形状４０を含んでいなくてもよい。例えば、対応するＸ中間接続線２７が端部に１／３の単位形状４０を含んでいる場合に、対応するＹ補助線３８が、残りの２／３単位形状を有することで、Ｙ方向に沿った繰り返し形状が形成される。
【００７６】
さらに、本実施形態では、一つの単位形状４０で形成され、Ｘ方向に沿って延在するＸダミー線２９が、透明基板１０の上面１１に設けられている。
【００７７】
このＸダミー線２９は、上述のＸ電極スペース２０１に設けられており、屈曲点４１がＹ方向において実質的に一致するようにＸ電極線２２と実質的に平行に配列されていると共に、相互に隣り合う２つのＹ中間接続線３７の間に配置されている。結果的に、図９に示すように、このＸダミー線２９とＸ電極線２２は、第１のピッチＰ１で実質的に等間隔に配置されている。また、このＸダミー線２９は、平面視において、Ｙ介在接続線３７ａと共にジグザグな三角波型の繰り返し形状を形成している。
【００７８】
このＸダミー線２９を構成する単位形状４０は、屈曲点４１で直線状に折れ曲がった三角凸形状であり、上述のＸ電極線２２を構成する単位形状４０と同一の形状である。なお、このＸダミー線２９を構成する単位形状４０は、上述のＸ電極線２２を構成する単位形状４０と同一であれば、特に限定されない。
【００７９】
このＸダミー線２９の数や配置は、図４及び図５に示す例に限定されない。また、Ｘダミー線２９を構成する単位形状４０の数も上記の数に特に限定されず、複数の単位形状４０でＸダミー線２９を構成してもよい。また、Ｘダミー線２９が、完全な単位形状４０を含んでいなくてもよい。例えば、対応するＹ介在接続線３７ａが端部に１／３の単位形状４０を含んでいる場合に、Ｘダミー線２９が、残りの２／３単位形状を有することで、Ｘ方向に沿った繰り返し形状が形成される。
【００８０】
同様に、本実施形態では、一つの単位形状４０で形成され、Ｙ方向に沿って延在するＹダミー線３９が、透明基板１０の下面１２に設けられている。
【００８１】
このＹダミー線３９は、上述のＹ電極スペース３０１に設けられており、屈曲点４１がＸ方向において実質的に一致するようにＹ電極線３２と実質的に平行に配列されていると共に、相互に隣り合う２つのＸ中間接続線２７の間に配置されている。結果的に、図９に示すように、このＹダミー線３９とＹ電極線３２は、第３のピッチＰ３で実質的に等間隔に配置されている。また、このＹダミー線３９は、平面視において、Ｘ介在接続線２７ａと共にジグザグな三角波型の繰り返し形状を形成している。
【００８２】
このＹダミー線３９を構成する単位形状４０は、屈曲点４１で直線状に折れ曲がった三角凸形状であり、上述のＹ電極線３２を構成する単位形状４０と同一の形状である。なお、このＹダミー線３９を構成する単位形状４０は、上述のＹ電極線３２を構成する単位形状４０と同一であれば、特に限定されない。
【００８３】
このＹダミー線３９の数や配置は、図７及び図８に示す例に限定されない。また、Ｙダミー線３９を構成する単位形状４０の数も上記の数に特に限定されず、複数の単位形状４０でＹダミー線３９を構成してもよい。また、Ｙダミー線３９が、完全な単位形状４０を含んでいなくてもよい。例えば、対応するＸ介在接続線２７ａが端部に１／３の単位形状４０を含んでいる場合に、Ｙダミー線３９が、残りの２／３単位形状を有することで、Ｙ方向に沿った繰り返し形状が形成される。
【００８４】
以上に説明したＸ電極群２０及びＹ電極群３０は、図９に示すように、平面視において、複数種の多角形からなる格子状のパターンを形成している。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【００８５】
以上のように、本実施形態では、Ｘ中間接続線２７が複数のＸ電極線２２を途中で電気的に接続しているため、Ｘ電極線２２が断線しても、Ｘ中間接続線２７を介して当該Ｘ電極線２２の非断線部分を他のＸ電極線２２に電気的に接続することができる。同様に、Ｙ中間接続線３７が複数のＹ電極線３２を途中で電気的に接続しているため、Ｙ電極線３２が断線しても、Ｙ中間接続線３７を介して当該Ｙ電極線３２の非断線部分を他のＹ電極線３２に電気的に接続することができる。このため、タッチパネル１の信頼性の向上を図ることができる。
【００８６】
また、本実施形態では、Ｘ電極２１がＸ非形成部分２３を有しているので、Ｙ中間接続線３７がＸ電極線２１と重なることがない。同様に、Ｙ電極３１がＹ非形成部分３３を有しているので、Ｘ中間接続線２７がＹ電極線３２と重なることがない。そのため、Ｘ電極線２２やＹ電極線３２が部分的に濃く見えてしまうことがないので、タッチパネル１の良好な視認性を確保することもできる。
【００８７】
また、本実施形態では、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【００８８】
また、本実施形態では、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネル１の良好な視認性を確保することができる。
【００８９】
さらに、本実施形態では、平面視において、Ｘ電極線２２がＸ方向に沿って延在していると共に、Ｙ中間接続線３７とＸ補助線２８が一体となってＸ方向に沿った繰り返し形状を形成し、Ｙ介在接続線３７ａとＸダミー線２９も一体となってＸ方向に沿った繰り返し形状を形成している。このため、図９に示すように、平面視において、Ｘ方向に沿った複数の繰り返し形状が、透明基板１０の中央領域１１全体に一様に第１のピッチＰ１で実質的に等間隔に配置されるので、タッチパネル１の良好な視認性を確保することができる。
【００９０】
同様に、本実施形態では、平面視において、Ｙ電極線３２がＹ方向に沿って延在していると共に、Ｘ中間接続線２７とＹ補助線３８が一体となってＹ方向に沿った繰り返し形状を形成し、Ｘ介在接続線２７ａとＹダミー線３９も一体となってＹ方向に沿った繰り返し形状を形成している。このため、図９に示すように、平面視において、Ｙ方向に沿った複数の繰り返し形状が、透明基板１０の中央領域１１全体に一様に第３のピッチＰ３で実質的に等間隔に配置されるので、タッチパネル１の良好な視認性を確保することができる。
【００９１】
本実施形態におけるＸ方向が本発明における第１の方向の一例に相当し、本実施形態におけるＸ電極２１が本発明における第１の電極の一例に相当し、本実施形態におけるＸ電極線２２が本発明における第１の電極線の一例に相当し、本実施形態におけるＸ非形成部分２３が本発明における第１の非形成部分の一例に相当し、本実施形態におけるＸ中間接続線２７が本発明における第１の中間接続線の一例に相当し、本実施形態におけるＸ介在接続線２７ａが本発明における第１の介在接続線の一例に相当し、本実施形態におけるＸ補助線２８が本発明における第１の補助線の一例に相当し、本実施形態におけるＸダミー線２９が本発明における第１のダミー線の一例に相当する。
【００９２】
また、本実施形態におけるＹ方向が本発明における第２の方向の一例に相当し、本実施形態におけるＹ電極３１が本発明における第２の電極の一例に相当し、本実施形態におけるＹ電極線３２が本発明における第２の電極線の一例に相当し、本実施形態におけるＹ非形成部分３３が本発明における第２の非形成部分の一例に相当し、本実施形態におけるＹ中間接続線３７が本発明における第２の中間接続線の一例に相当し、本実施形態におけるＹ介在接続線３７ａが本発明における第２の介在接続線の一例に相当し、本実施形態におけるＹ補助線３８が本発明における第２の補助線の一例に相当し、本実施形態におけるＹダミー線３９が本発明における第２のダミー線の一例に相当する。
【００９３】
なお、上述の実施形態では、単位形状４０の折れ曲がり角度θを１２０度としたが（θ＝１２０°）、当該折れ曲がり角度θは特にこれに限定されず、任意に設定することができる。
【００９４】
図１０（ａ）〜図１０（ｃ）はＸ電極、Ｙ電極、及び、ＸＹ電極の第１変形例をそれぞれ示す平面図である。例えば、図１０（ａ）〜図１０（ｃ）に示すように、単位形状４０の折れ曲がり角度θを６０度としてもよい（θ＝６０°）。
【００９５】
図１１（ａ）〜図１１（ｃ）はＸ電極、Ｙ電極、及び、ＸＹ電極の第２変形例をそれぞれ示す平面図である。例えば、図１１（ａ）〜図１１（ｃ）に示すように、単位形状４０の折れ曲がり角度θを７５度としてもよい（θ＝７５°）。
【００９６】
図１２（ａ）〜図１２（ｃ）はＸ電極、Ｙ電極、及び、ＸＹ電極の第３変形例をそれぞれ示す平面図である。例えば、図１２（ａ）〜図１２（ｃ）に示すように、単位形状４０の折れ曲がり角度θを９０度としてもよい（θ＝９０°）。
【００９７】
図１３（ａ）〜図１３（ｃ）はＸ電極、Ｙ電極、及び、ＸＹ電極の第４変形例をそれぞれ示す平面図である。例えば、図１３（ａ）〜図１３（ｃ）に示すように、単位形状４０の折れ曲がり角度θを１０５度としてもよい（θ＝１０５°）。
【００９８】
≪第２実施形態≫
図１４Ａは本発明の第２実施形態におけるタッチパネルのＸ電極を示す平面図、図１４Ｂは本発明の第２実施形態におけるタッチパネルのＹ電極を示す平面図、図１４Ｃは本発明の第２実施形態におけるタッチパネルのＸＹ電極を示す平面図である。なお、この図１４Ａ〜図１４Ｃは、上述の図５，図８、図９と同様に、いずれもタッチパネルの電極の一部を拡大した図である。
【００９９】
本実施形態では、ＸＹ電極の構成が第１実施形態と相違するが、それ以外の構成は第１実施形態と同様である。以下に、第２実施形態におけるタッチパネルについて第１実施形態との相違点についてのみ説明し、第１実施形態と同様の構成である部分については同一符号を付して説明を省略する。
【０１００】
図１４Ａに示すように、本実施形態におけるＸ電極２１は、複数（本例では９本）のＸ電極線２２を備えている。それぞれのＸ電極線２２は、Ｘ方向に沿って延在するように透明基板１０の上面１１に設けられており、複数の単位形状４０を連続的に繰り返すことで形成されている。本実施形態では、第１実施形態で説明した図６（ａ）に示すように、個々の単位形状４０が屈曲点４１で直線状に折れ曲がった三角凸形状を有しており、Ｘ電極線２２は、全体として、三角凸形状と三角凹形状を交互に繰り返すジグザグな三角波型の繰り返し形状を有している。
【０１０１】
これら複数のＸ電極線２２は、屈曲点４１がＹ方向において実質的に一致するように相互に実質的に平行に配列されており、すなわち、複数のＸ電極線２２の屈曲点４１が、Ｙ方向に延在する同一の仮想直線上に位置している。また、本実施形態におけるＸ電極２１は、後述する第１のＹ中間接続線３７１に対応するＸ電極線２２が形成されていないＸ非形成部分（Ｘ除去部分）２３を有しており、換言すれば、このＸ非形成部分２３では、第１のＹ中間接続線３７１に対応するＸ電極線２２が除去されている。すなわち、本実施形態では、１つのＸ電極２１は、第１のピッチ（中心間距離）Ｐ１で配置された３本のＸ電極線２２からそれぞれ構成されたＸ電極線群２４を３組備え、当該Ｘ電極線群２４同士は、第１のピッチＰ１の４倍のピッチで配置されており、当該Ｘ電極線群２４の間にＸ非形成部分２３が設けられている。
【０１０２】
なお、Ｘ電極２１を構成するＸ電極線２２の数、Ｘ電極線２２間のピッチ、Ｘ電極２１を構成するＸ電極線群２４の数、Ｘ電極線群２４間のピッチ、並びに、Ｘ電極２１におけるＸ非形成部分２３の数及び配置等は、図１４Ａに示す例に限定されない。また、Ｘ電極線群２４を構成するＸ電極線２２の数が相互に異なっていてもよい。
【０１０３】
また、上述のＸ電極線２２を形成する単位形状４０は、屈曲点４１で直線状に折れ曲がった折曲形状に特に限定されない。例えば、第１実施形態で説明した図６（ｂ）に示す単位形状４０Ｂのように、中央に位置する凸状円弧４２と、当該凸状円弧４２の両端から連続的に広がる凹状円弧４３と、から構成される湾曲形状であってもよい。この場合には、同図に示すように、Ｘ電極線２２Ｂは、全体として、曲線凸形状と曲線凹形状を交互に繰り返す正弦波型の繰り返し形状を有する。
【０１０４】
複数のＸ電極２１は、図１４Ａに示すように、下記の（７）式を満たす第２のピッチＰ２でＹ方向に実質的に等間隔に並べられており、相互に隣り合うＸ電極２１の間にはＸ電極スペース２０１が設けられている。但し、下記の（７）式において、Ｍは２以上の自然数であり、本実施形態ではＭは１２である（Ｍ＝１２）。
【０１０５】
Ｐ２＝Ｍ×Ｐ１  …  （７）
【０１０６】
Ｙ電極３１も、図１４Ｂに示すように、複数（本例では９本）のＹ電極線３２を備えている。それぞれのＹ電極線３２は、Ｙ方向に沿って延在するように透明基板１０の下面１２に設けられており、複数の単位形状４０を連続的に繰り返すことで形成されている。このＹ電極線３２を構成する単位形状４０は、屈曲点４１で直線状に折れ曲がった三角凸形状であり、上述のＸ電極線２２を構成する単位形状４０と同一の形状である。このＹ電極線３２は、全体として、三角凸形状と三角凹形状を交互に繰り返すジグザグな三角波型の繰り返し形状を有している。なお、このＹ電極線３２を構成する単位形状４０は、特に限定されず、上述のＸ電極線２２を構成する単位形状４０と同一でなくてもよい。
【０１０７】
これら複数のＹ電極線３２は、屈曲点４１がＸ方向において実質的に一致するように相互に実質的に平行に配列されており、すなわち、複数のＹ電極線３２の屈曲点４１が、Ｘ方向に延在する同一の仮想直線上に位置している。また、本実施形態におけるＹ電極３１は、後述の第１のＸ中間接続線２７１に対応するＹ電極線３２が形成されていないＹ非形成部分（Ｙ除去部分）３３を有しており、換言すれば、このＹ非形成部分３３では、第１のＸ中間接続線２７１に対応するＹ電極線３２が除去されている。すなわち、本実施形態では、１つのＹ電極３１は、第３のピッチＰ３で配置された３本のＹ電極線３２からなるＹ電極線群３４を３組備え、当該Ｙ電極線群３４同士は、第３のピッチＰ３の４倍のピッチで配置されており、当該Ｙ電極線群３４の間にＹ非形成部分３３が設けられている。このＹ電極線３２間の第３のピッチＰ３と、上述のＸ電極線２２間の第１のピッチＰ１とは、下記の（８）式を満たしている。
【０１０８】
Ｐ１＝Ｐ３  …  （８）
【０１０９】
なお、Ｙ電極３１を構成するＹ電極線３２の数、Ｙ電極線３２間のピッチ、Ｙ電極３１を構成するＹ電極群３４の数、Ｙ電極線群３４間のピッチ、並びに、Ｙ電極３１におけるＹ非形成部分３３の数及び配置等は、図１４Ｂに示す例に限定されない。また、Ｙ電極線群３４を構成するＹ電極線３２の数が相互に異なっていてもよい。
【０１１０】
以上に説明した複数のＹ電極３１は、図１４Ｂに示すように、下記の（９）式を満たす第４のピッチＰ４でＸ方向に実質的に等間隔に並べられており、相互に隣り合うＹ電極３１の間にはＹ電極スペース３０１が設けられている。但し、下記の（９）式において、Ｎは２以上の自然数であり、本実施形態ではＮは１２である（Ｎ＝１２）。すなわち、本実施形態では、Ｘ電極線２２間の第１のピッチＰ１とＹ電極線３２間の第３のピッチＰ３が同一であり（上記の（８）式を参照）、且つ、上述の自然数Ｍと自然数Ｎも同一であるので（Ｍ＝Ｎ）、結果的に、Ｘ電極２１間の第２のピッチＰ２とＹ電極３１間の第４のピッチＰ４は同一となっている（Ｐ２＝Ｐ４）。
【０１１１】
Ｐ４＝Ｎ×Ｐ３  …  （９）
【０１１２】
なお、Ｘ電極線２２間の第１のピッチＰ１とＹ電極線３２間の第３のピッチＰ３が同一である限り（上記の（８）式参照）、上述の自然数Ｍと自然数Ｎと異ならせてもよく、すなわち、Ｘ電極２１間の第２のピッチＰ２とＹ電極３１間の第４のピッチＰ４を異ならせてもよい（Ｐ２≠Ｐ４）。
【０１１３】
本実施形態におけるＸ電極２１は、図１４Ａに示すように、Ｘ電極線２２同士を途中で電気的に接続する２種類のＸ中間接続線２７１，２７２をさらに備えている。
【０１１４】
第１及び第２のＸ中間接続線２７１，２７２は、いずれもＹ方向に沿って延在するように透明基板１０の上面１１に設けられ、Ｘ電極線２２の一端から他端との間で、Ｘ電極２１が有する複数のＸ電極線２２を電気的に接続している。第１のＸ中間接続線２７１は、５／２の単位形状４０を連続的に繰り返すことで形成されており、上述のＹ非形成部分３３に対応するように透明基板１０の上面１１に設けられている。一方、第２のＸ中間接続線２７２は、１／２の単位形状４０から構成されており、上述のＹ電極スペース３０１に対応するように透明基板１０の上面１１に設けられている。第１及び第２のＸ中間接続線２７１，２７２は、平面視において、屈曲点４１がＸ方向において実質的に一致するようにＹ電極線３２と相互に実質的に平行に配列されている。
【０１１５】
第１及び第２のＸ中間接続線２７１，２７２を構成する単位形状４０は、屈曲点４１で直線状に折れ曲がった三角凸形状であり、上述のＹ電極線３２を構成する単位形状４０と同一の形状である。第１のＸ中間接続線２７１は、全体として、三角凸形状と三角凹形状を交互に繰り返すジグザグな三角波型の繰り返し形状を有している。一方、第２のＸ中間接続線２７２は、２つの屈曲点４１間を結ぶ直線形状のみで構成されている。なお、第１及び第２のＸ中間接続線２７１，２７２を構成する単位形状４０は、上述のＹ電極線３２を構成する単位形状４０と同一であれば、特に限定されない。
【０１１６】
なお、本実施形態における第１及び第２のＸ中間接続線２７１，２７２が本発明における第１の中間接続線の一例に相当し、本実施形態における第２のＸ中間接続線２７２が本発明における第１の介在接続線の一例に相当する。
【０１１７】
同様に、本実施形態におけるＹ電極３１も、図１４Ｂに示すように、Ｙ電極線３２同士を途中で電気的に接続する２種類のＹ中間接続線３７１，３７２をさらに備えている。
【０１１８】
第１及び第２のＸ中間接続線３７１，３７２は、いずれもＸ方向に沿って延在するように透明基板１０の下面１２に設けられ、Ｙ電極線３２の一端から他端との間で、Ｙ電極３１が有する複数のＹ電極線３２を電気的に接続している。第１のＹ中間接続線３７１は、５／２の単位形状４０を連続的に繰り返すことで形成されており、上述のＸ非形成部分２３に対応するように透明基板１０の下面１２に設けられている。一方、第２のＹ中間接続線３７２は、１／２の単位形状４０を連続的に繰り返すことで形成されており、上述のＸ電極スペース２０１に対応するように透明基板１０の下面１２に設けられている。第１及び第２のＹ中間接続線３７１，３７２は、平面視において、屈曲点４１がＹ方向において実質的に一致するようにＸ電極線２２と相互に実質的に平行に配列されている。
【０１１９】
第１及び第２のＹ中間接続線３７１，３７２を構成する単位形状４０は、屈曲点４１で直線状に折れ曲がった三角凸形状であり、上述のＸ電極線２２を構成する単位形状４０と同一の形状である。第１のＹ中間接続線３７１は、全体として、三角凸形状と三角凹形状を交互に繰り返すジグザグな三角波型の繰り返し形状を有している。一方、第２のＹ中間接続線３７２は、２つの屈曲点４１間を結ぶ直線形状のみで構成されている。なお、第１及び第２のＹ中間接続線３７１，３７２を構成する単位形状４０は、上述のＸ電極線２２を構成する単位形状４０と同一であれば、特に限定されない。
【０１２０】
なお、本実施形態における第１及び第２のＹ中間接続線３７１，３７２が本発明における第２の中間接続線の一例に相当し、本実施形態における第２のＹ中間接続線３７２が本発明における第２の介在接続線の一例に相当する。
【０１２１】
さらに、本実施形態におけるＸ電極２１は、図１４Ａに示すように、Ｘ電極線２２の間に介在している複数のＸ補助線２８をさらに備えている。
【０１２２】
それぞれのＸ補助線２８は、Ｘ方向に延在するように透明基板１０の上面１１に設けられ、１／２の単位形状４０で形成されている。このＸ補助線２８は、上述のＸ非形成部分２３に設けられており、屈曲点４１がＹ方向において実質的に一致するようにＸ電極線２２と実質的に平行に配列されていると共に、相互に隣り合う２つの第１のＹ中間接続線３７１の間に配置されている。
【０１２３】
結果的に、図１４Ａに示すように、このＸ補助線２８とＸ電極線２２は、第１のピッチＰ１で実質的に等間隔に配置されており、このＸ補助線２８は、平面視において、第１のＹ中間接続線３７１と共にジグザグな三角波型の繰り返し形状を形成している（図１４Ｃ参照）。
【０１２４】
なお、本実施形態では、このＸ補助線２８は、第２のＸ中間接続線（Ｘ介在接続線）２７２と交差していない。このように、Ｘ補助線２８を第２のＸ中間接続線２７２と非交差とすることで、下側のＹ電極３１からの電気力線がカバー部材５０の上側に到達し易くなるので、タッチパネルの検出精度が向上する。
【０１２５】
このＸ補助線２８を構成する単位形状４０は、屈曲点４１で直線状に折れ曲がった三角凸形状であり、上述のＸ電極線２２を構成する単位形状４０と同一の形状である。本実施形態におけるＸ補助線２８は、２つの屈曲点４１間を結ぶ直線形状のみで構成されている。なお、このＸ補助線２８を構成する単位形状４０は、上述のＸ電極線２２を構成する単位形状４０と同一であれば、特に限定されない。
【０１２６】
同様に、本実施形態におけるＹ電極３１も、図１４Ｂに示すように、Ｙ電極線３２の間に介在している複数のＹ補助線３８をさらに備えている。
【０１２７】
それぞれのＹ補助線３８は、Ｙ方向に延在するように透明基板１０の下面１２に設けられ、１／２の単位形状４０で形成されている。このＹ補助線３８は、上述のＹ非形成部分３３に設けられており、屈曲点４１がＹ方向において実質的に一致するようにＹ電極線３２と実質的に平行に配列されていると共に、相互に隣り合う２つの第１のＸ中間接続線２７１の間に配置されている。
【０１２８】
結果的に、図１４Ｂに示すように、このＹ補助線３８とＹ電極線３２は、第３のピッチＰ３で実質的に等間隔に配置されており、このＹ補助線３８は、平面視において、第１のＸ中間接続線２７１と共にジグザグな三角波型の繰り返し形状を形成している（図１４Ｃ参照）。
【０１２９】
なお、本実施形態では、このＹ補助線３８は、第２のＹ中間接続線（Ｙ介在接続線）３７２と交差していない。Ｘ電極２１をＹ電極の下側に形成した場合には、Ｙ補助線３８を第２のＹ中間接続線３７２と非交差とすることで、Ｘ電極２１からの電気力線がカバー部材５０の上方に到達し易くなり、タッチパネル１の検出精度が向上する。
【０１３０】
このＹ補助線３８を構成する単位形状４０は、屈曲点４１で直線状に折れ曲がった三角凸形状であり、上述のＹ電極線３２を構成する単位形状４０と同一の形状である。本実施形態におけるＹ補助線３８は、２つの屈曲点４１間を結ぶ直線形状のみで構成されている。なお、このＹ補助線３８を構成する単位形状４０は、上述のＹ電極線３２を構成する単位形状４０と同一であれば、特に限定されない。
【０１３１】
さらに、本実施形態では、１／２の単位形状４０で形成され、Ｘ方向に沿って延在するＸダミー線２９が、透明基板１０の上面１１に設けられている。
【０１３２】
このＸダミー線２９は、上述のＸ電極スペース２０１に設けられており、屈曲点４１がＹ方向において実質的に一致するようにＸ電極線２２と実質的に平行に配列されていると共に、相互に隣り合う２つの第２のＹ中間接続線３７２の間に配置されている。結果的に、図１４Ａに示すように、このＸダミー線２９とＸ電極線２２は、第１のピッチＰ１で実質的に等間隔に配置されている。また、このＸダミー線２９は、平面視において、第２のＹ中間接続線３７２と共にジグザグな三角波型の繰り返し形状を形成している（図１４Ｃ参照）。
【０１３３】
このＸダミー線２９を構成する単位形状４０は、屈曲点４１で直線状に折れ曲がった三角凸形状であり、上述のＸ電極線２２を構成する単位形状４０と同一の形状である。本実施形態におけるＸダミー線２９は、２つの屈曲点４１間を結ぶ直線形状のみで構成されている。なお、このＸダミー線２９を構成する単位形状４０は、上述のＸ電極線２２を構成する単位形状４０と同一であれば、特に限定されない。
【０１３４】
同様に、本実施形態では、１／２の単位形状４０で形成され、Ｙ方向に沿って延在するＹダミー線３９が、透明基板１０の下面１２に設けられている。
【０１３５】
このＹダミー線３９は、上述のＹ電極スペース３０１に設けられており、屈曲点４１がＸ方向において実質的に一致するようにＹ電極線３２と実質的に平行に配列されていると共に、相互に隣り合う２つの第２のＸ中間接続線２７２の間に配置されている。結果的に、図１４Ｂに示すように、このＹダミー線３９とＹ電極線３２は、第３のピッチＰ３で実質的に等間隔に配置されている。また、このＹダミー線３９は、平面視において、第２のＸ中間接続線２７２と共にジグザグな三角波型の繰り返し形状を形成している（図１４Ｃ参照）。
【０１３６】
このＹダミー線３９を構成する単位形状４０は、屈曲点４１で直線状に折れ曲がった三角凸形状であり、上述のＹ電極線３２を構成する単位形状４０と同一の形状である。本実施形態におけるＹダミー線３９は、２つの屈曲点４１間を結ぶ直線形状のみで構成されている。なお、このＹダミー線３９を構成する単位形状４０は、上述のＹ電極線３２を構成する単位形状４０と同一であれば、特に限定されない。
【０１３７】
以上に説明したＸ電極２１及びＹ電極３１は、図１４Ｃに示すように、平面視において、複数種の多角形からなる格子状のパターンを形成している。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【０１３８】
以上のように、本実施形態では、第１実施形態と同様に、Ｘ中間接続線２７１，２７２が複数のＸ電極線２２を途中で電気的に接続しているため、Ｘ電極線２２が断線しても、Ｘ中間接続線２７１，２７２を介して当該Ｘ電極線２２の非断線部分を他のＸ電極線２２に電気的に接続することができる。同様に、Ｙ中間接続線３７１，３７２が複数のＹ電極線３２を途中で電気的に接続しているため、Ｙ電極線３２が断線しても、Ｙ中間接続線３７１，３７２を介して当該Ｙ電極線３２の非断線部分を他のＹ電極線３２に電気的に接続することができる。このため、タッチパネルの信頼性の向上を図ることができる。
【０１３９】
また、本実施形態では、第１実施形態と同様に、Ｘ電極２１がＸ非形成部分２３を有しているので、第１のＹ中間接続線３７１がＸ電極線２１と重なることがない。同様に、Ｙ電極３１がＹ非形成部分３３を有しているので、第１のＸ中間接続線２７１がＹ電極線３２と重なることがない。そのため、Ｘ電極線２２やＹ電極線３２が部分的に濃く見えてしまうことがないので、タッチパネルの良好な視認性を確保することもできる。
【０１４０】
また、本実施形態では、第１実施形態と同様に、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【０１４１】
また、本実施形態では、第１実施形態と同様に、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネルの良好な視認性を確保することができる。
【０１４２】
さらに、本実施形態では、第１実施形態と同様に、平面視において、Ｘ電極線２２がＸ方向に沿って延在していると共に、第１のＹ中間接続線３７１とＸ補助線２８が一体となってＸ方向に沿った繰り返し形状を形成し、第２のＹ中間接続線３７２とＸダミー線２９も一体となってＸ方向に沿った繰り返し形状を形成している。このため、図１４Ｃに示すように、平面視において、Ｘ方向に沿った複数の繰り返し形状が、透明基板の中央領域全体に一様に第１のピッチＰ１で実質的に等間隔に配置されるので、タッチパネルの良好な視認性を確保することができる。
【０１４３】
同様に、本実施形態では、平面視において、Ｙ電極線３２がＹ方向に沿って延在していると共に、第１のＸ中間接続線２７１とＹ補助線３８が一体となってＹ方向に沿った繰り返し形状を形成し、第２のＸ中間接続線２７２とＹダミー線３９も一体となってＹ方向に沿った繰り返し形状を形成している。このため、図１４Ｃに示すように、平面視において、Ｙ方向に沿った複数の繰り返し形状が、透明基板の中央領域全体に一様に第３のピッチＰ３で実質的に等間隔に配置されるので、タッチパネルの良好な視認性を確保することができる。
【０１４４】
≪第３実施形態≫
図１５Ａは本発明の第３実施形態におけるタッチパネルのＸ電極を示す平面図、図１５Ｂは本発明の第３実施形態におけるタッチパネルのＹ電極を示す平面図である。なお、この図１５Ａ〜図１５Ｂは、上述の図５，図８と同様に、いずれもタッチパネルの電極の一部を拡大した図である。
【０１４５】
本実施形態では、ＸＹ電極の構成が第２実施形態と相違するが、それ以外の構成は第２実施形態と同様である。以下に、第３実施形態におけるタッチパネルについて第２実施形態との相違点についてのみ説明し、第２実施形態と同様の構成である部分については同一符号を付して説明を省略する。
【０１４６】
本実施形態では、図１５Ａに示すように、第１のＸ中間接続線２７１が、第２のＸ中間接続線２７２と同様に、１／２の単位形状４０から構成されている。また、これに伴って、図１５Ｂに示すように、Ｙ方向に相互に隣り合う第１のＸ中間接続線２７１の間にＹ補助線３８がそれぞれ介在するように、第２実施形態と比べてＹ補助線３８が増設されている。
【０１４７】
同様に、図１５Ｂに示すように、第１のＹ中間接続線３７１が、第２のＹ中間接続線３７２と同様に、１／２の単位形状４０から構成されている。また、これに伴って、図１５Ａに示すように、Ｘ方向に相互に隣り合う第１のＹ中間接続線３７１の間にＸ補助線２８がそれぞれ介在するように、第２実施形態と比べてＸ補助線２８が増設されている。
【０１４８】
本実施形態では、第２実施形態と同様に、平面視において、Ｘ電極２１及びＹ電極３１が複数種の多角形からなる格子状のパターンを形成している（図１４Ｃ参照）。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【０１４９】
本実施形態では、上述の実施形態と同様に、Ｘ中間接続線２７１，２７２が複数のＸ電極線２２を途中で電気的に接続しているため、Ｘ電極線２２が断線しても、Ｘ中間接続線２７１，２７２を介して当該Ｘ電極線２２の非断線部分を他のＸ電極線２２に電気的に接続することができる。同様に、Ｙ中間接続線３７１，３７２が複数のＹ電極線３２を途中で電気的に接続しているため、Ｙ電極線３２が断線しても、Ｙ中間接続線３７１，３７２を介して当該Ｙ電極線３２の非断線部分を他のＹ電極線３２に電気的に接続することができる。このため、タッチパネルの信頼性の向上を図ることができる。
【０１５０】
また、本実施形態では、上述の実施形態と同様に、Ｘ電極２１がＸ非形成部分２３を有しているので、第１のＹ中間接続線３７１がＸ電極線２１と重なることがない。同様に、Ｙ電極３１がＹ非形成部分３３を有しているので、第１のＸ中間接続線２７１がＹ電極線３２と重なることがない。そのため、Ｘ電極線２２やＹ電極線３２が部分的に濃く見えてしまうことがないので、タッチパネルの良好な視認性を確保することもできる。
【０１５１】
また、本実施形態では、上述の実施形態と同様に、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【０１５２】
また、本実施形態では、上述の実施形態と同様に、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネルの良好な視認性を確保することができる。
【０１５３】
さらに、本実施形態では、上述の実施形態と同様に、平面視において、Ｘ電極線２２がＸ方向に沿って延在していると共に、第１のＹ中間接続線３７１とＸ補助線２８が一体となってＸ方向に沿った繰り返し形状を形成し、第２のＹ中間接続線３７２とＸダミー線２９も一体となってＸ方向に沿った繰り返し形状を形成している。このため、平面視において、Ｘ方向に沿った複数の繰り返し形状が、透明基板の中央領域全体に一様に第１のピッチＰ１で実質的に等間隔に配置されるので、タッチパネルの良好な視認性を確保することができる（図１４Ｃ参照）。
【０１５４】
同様に、本実施形態では、平面視において、Ｙ電極線３２がＹ方向に沿って延在していると共に、第１のＸ中間接続線２７１とＹ補助線３８が一体となってＹ方向に沿った繰り返し形状を形成し、第２のＸ中間接続線２７２とＹダミー線３９も一体となってＹ方向に沿った繰り返し形状を形成している。このため、平面視において、Ｙ方向に沿った複数の繰り返し形状が、透明基板の中央領域全体に一様に第３のピッチＰ３で実質的に等間隔に配置されるので、タッチパネルの良好な視認性を確保することができる（図１４Ｃ参照）。
【０１５５】
≪第４実施形態≫
図１６Ａは本発明の第４実施形態におけるタッチパネルのＸ電極を示す平面図、図１６Ｂは本発明の第４実施形態におけるタッチパネルのＹ電極を示す平面図、図１６Ｃは本発明の第４実施形態におけるタッチパネルのＸＹ電極を示す平面図である。なお、この図１６Ａ〜図１６Ｂは、上述の図５，図８、図９と同様に、いずれもタッチパネルの電極の一部を拡大した図である。
【０１５６】
本実施形態では、ＸＹ電極の構成が第２実施形態と相違するが、それ以外の構成は第２実施形態と同様である。以下に、第４実施形態におけるタッチパネルについて第２実施形態との相違点についてのみ説明し、第２実施形態と同様の構成である部分については同一符号を付して説明を省略する。
【０１５７】
本実施形態では、図１６Ａに示すように、Ｘ電極線群２４を構成するＸ電極線２２の本数が第２実施形態と相違している。具体的には、Ｘ電極線群２４が２本のＸ電極線２２から構成されている。
【０１５８】
同様に、本実施形態では、図１６Ｂに示すように、Ｙ電極線群３４を構成するＹ電極線３２の本数が第２実施形態と相違している。具体的には、Ｙ電極線群３４が２本のＹ電極線３２から構成されている。
【０１５９】
本実施形態では、図１６Ｃに示すように、平面視において、Ｘ電極２１及びＹ電極３１が複数種の多角形からなる格子状のパターンを形成している。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【０１６０】
本実施形態では、上述の実施形態と同様に、Ｘ中間接続線２７１，２７２が複数のＸ電極線２２を途中で電気的に接続しているため、Ｘ電極線２２が断線しても、Ｘ中間接続線２７１，２７２を介して当該Ｘ電極線２２の非断線部分を他のＸ電極線２２に電気的に接続することができる。同様に、Ｙ中間接続線３７１，３７２が複数のＹ電極線３２を途中で電気的に接続しているため、Ｙ電極線３２が断線しても、Ｙ中間接続線３７１，３７２を介して当該Ｙ電極線３２の非断線部分を他のＹ電極線３２に電気的に接続することができる。このため、タッチパネルの信頼性の向上を図ることができる。
【０１６１】
また、本実施形態では、上述の実施形態と同様に、Ｘ電極２１がＸ非形成部分２３を有しているので、第１のＹ中間接続線３７１がＸ電極線２１と重なることがない。同様に、Ｙ電極３１がＹ非形成部分３３を有しているので、第１のＸ中間接続線２７１がＹ電極線３２と重なることがない。そのため、Ｘ電極線２２やＹ電極線３２が部分的に濃く見えてしまうことがないので、タッチパネルの良好な視認性を確保することもできる。
【０１６２】
また、本実施形態では、上述の実施形態と同様に、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【０１６３】
また、本実施形態では、上述の実施形態と同様に、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネルの良好な視認性を確保することができる。
【０１６４】
さらに、本実施形態では、上述の実施形態と同様に、平面視において、Ｘ電極線２２がＸ方向に沿って延在していると共に、第１のＹ中間接続線３７１とＸ補助線２８が一体となってＸ方向に沿った繰り返し形状を形成し、第２のＹ中間接続線３７２とＸダミー線２９も一体となってＸ方向に沿った繰り返し形状を形成している。このため、図１６Ｃに示すように、平面視において、Ｘ方向に沿った複数の繰り返し形状が、透明基板の中央領域全体に一様に第１のピッチＰ１で実質的に等間隔に配置されるので、タッチパネルの良好な視認性を確保することができる。
【０１６５】
同様に、本実施形態では、平面視において、Ｙ電極線３２がＹ方向に沿って延在していると共に、第１のＸ中間接続線２７１とＹ補助線３８が一体となってＹ方向に沿った繰り返し形状を形成し、第２のＸ中間接続線２７２とＹダミー線３９も一体となってＹ方向に沿った繰り返し形状を形成している。このため、図１６Ｃに示すように、平面視において、Ｙ方向に沿った複数の繰り返し形状が、透明基板の中央領域全体に一様に第３のピッチＰ３で実質的に等間隔に配置されるので、タッチパネルの良好な視認性を確保することができる。
【０１６６】
≪第５実施形態≫
図１７Ａは本発明の第５実施形態におけるタッチパネルのＸ電極を示す平面図、図１７Ｂは本発明の第５実施形態におけるタッチパネルのＹ電極を示す平面図である。なお、この図１７Ａ〜図１７Ｂは、上述の図５，図８と同様に、いずれもタッチパネルの電極の一部を拡大した図である。
【０１６７】
本実施形態では、ＸＹ電極の構成が第４実施形態と相違するが、それ以外の構成は第４実施形態と同様である。以下に、第５実施形態におけるタッチパネルについて第４実施形態との相違点についてのみ説明し、第４実施形態と同様の構成である部分については同一符号を付して説明を省略する。
【０１６８】
本実施形態では、図１７Ａに示すように、第１のＸ中間接続線２７１が、第２のＸ中間接続線２７２と同様に、１／２の単位形状４０から構成されている。また、これに伴って、図１７Ｂに示すように、Ｙ方向に相互に隣り合う第１のＸ中間接続線２７１の間にＹ補助線３８がそれぞれ介在するように、第４実施形態と比べてＹ補助線３８が増設されている。
【０１６９】
同様に、図１７Ｂに示すように、第１のＹ中間接続線３７１が、第２のＹ中間接続線３７２と同様に、１／２の単位形状４０から構成されている。また、これに伴って、図１７Ａに示すように、Ｘ方向に相互に隣り合う第１のＹ中間接続線３７１の間にＸ補助線２８がそれぞれ介在するように、第４実施形態と比べてＸ補助線２８が増設されている。
【０１７０】
本実施形態では、第４実施形態と同様に、平面視において、Ｘ電極２１及びＹ電極３１が複数種の多角形からなる格子状のパターンを形成している（図１６Ｃ参照）。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【０１７１】
本実施形態では、上述の実施形態と同様に、Ｘ中間接続線２７１，２７２が複数のＸ電極線２２を途中で電気的に接続しているため、Ｘ電極線２２が断線しても、Ｘ中間接続線２７１，２７２を介して当該Ｘ電極線２２の非断線部分を他のＸ電極線２２に電気的に接続することができる。同様に、Ｙ中間接続線３７１，３７２が複数のＹ電極線３２を途中で電気的に接続しているため、Ｙ電極線３２が断線しても、Ｙ中間接続線３７１，３７２を介して当該Ｙ電極線３２の非断線部分を他のＹ電極線３２に電気的に接続することができる。このため、タッチパネルの信頼性の向上を図ることができる。
【０１７２】
また、本実施形態では、上述の実施形態と同様に、Ｘ電極２１がＸ非形成部分２３を有しているので、第１のＹ中間接続線３７１がＸ電極線２１と重なることがない。同様に、Ｙ電極３１がＹ非形成部分３３を有しているので、第１のＸ中間接続線２７１がＹ電極線３２と重なることがない。そのため、Ｘ電極線２２やＹ電極線３２が部分的に濃く見えてしまうことがないので、タッチパネルの良好な視認性を確保することもできる。
【０１７３】
また、本実施形態では、上述の実施形態と同様に、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【０１７４】
また、本実施形態では、上述の実施形態と同様に、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネルの良好な視認性を確保することができる。
【０１７５】
さらに、本実施形態では、上述の実施形態と同様に、平面視において、Ｘ電極線２２がＸ方向に沿って延在していると共に、第１のＹ中間接続線３７１とＸ補助線２８が一体となってＸ方向に沿った繰り返し形状を形成し、第２のＹ中間接続線３７２とＸダミー線２９も一体となってＸ方向に沿った繰り返し形状を形成している。このため、平面視において、Ｘ方向に沿った複数の繰り返し形状が、透明基板の中央領域全体に一様に第１のピッチＰ１で実質的に等間隔に配置されるので、タッチパネルの良好な視認性を確保することができる（図１６Ｃ参照）。
【０１７６】
同様に、本実施形態では、平面視において、Ｙ電極線３２がＹ方向に沿って延在していると共に、第１のＸ中間接続線２７１とＹ補助線３８が一体となってＹ方向に沿った繰り返し形状を形成し、第２のＸ中間接続線２７２とＹダミー線３９も一体となってＹ方向に沿った繰り返し形状を形成している。このため、平面視において、Ｙ方向に沿った複数の繰り返し形状が、透明基板の中央領域全体に一様に第３のピッチＰ３で実質的に等間隔に配置されるので、タッチパネルの良好な視認性を確保することができる（図１６Ｃ参照）。
【０１７７】
≪第６実施形態≫
図１８Ａは本発明の第６実施形態におけるタッチパネルのＸ電極を示す平面図、図１８Ｂは本発明の第６実施形態におけるタッチパネルのＹ電極を示す平面図、図１８Ｃは本発明の第６実施形態におけるタッチパネルのＸＹ電極を示す平面図である。なお、この図１８Ａ〜図１８Ｃは、上述の図５，図８、図９と同様に、いずれもタッチパネルの電極の一部を拡大した図である。
【０１７８】
本実施形態では、ＸＹ電極の構成が第１実施形態と相違するが、それ以外の構成は第１実施形態と同様である。以下に、第６実施形態におけるタッチパネルについて第１実施形態との相違点についてのみ説明し、第１実施形態と同様の構成である部分については同一符号を付して説明を省略する。
【０１７９】
図１８Ａに示すように、本実施形態におけるＸ電極２１は、複数（本例では１２本）のＸ電極線２２を備えている。それぞれのＸ電極線２２は、Ｘ方向に沿って延在するように透明基板１０の上面１１に設けられており、複数の単位形状４０を連続的に繰り返すことで形成されている。本実施形態では、第１実施形態で説明した図６（ａ）に示すように、個々の単位形状４０が屈曲点４１で直線状に折れ曲がった三角凸形状を有しており、Ｘ電極線２２は、全体として、三角凸形状と三角凹形状を交互に繰り返すジグザグな三角波型の繰り返し形状を有している。
【０１８０】
これら複数のＸ電極線２２は、屈曲点４１がＹ方向において実質的に一致するように相互に実質的に平行に配列されており、すなわち、複数のＸ電極線２２の屈曲点４１が、Ｙ方向に延在する同一の仮想直線上に位置している。また、本実施形態におけるＸ電極２１は、後述する第１のＹ中間接続線３７１に対応するＸ電極線２２が形成されていないＸ非形成部分（Ｘ除去部分）２３を有しており、換言すれば、このＸ非形成部分２３では、第１のＹ中間接続線３６に対応するＸ電極線２２が除去されている。すなわち、本実施形態では、１つのＸ電極２１は、第１のピッチ（中心間距離）Ｐ１で配置された３本のＸ電極線２２からそれぞれ構成されたＸ電極線群２４を４組備え、当該Ｘ電極線群２４同士は、第１のピッチＰ１の４倍のピッチで配置されており、当該Ｘ電極線群２４の間にＸ非形成部分２３が設けられている。
【０１８１】
なお、Ｘ電極２１を構成するＸ電極線２２の数、Ｘ電極線２２間のピッチ、Ｘ電極２１を構成するＸ電極線群２４の数、Ｘ電極線群２４間のピッチ、並びに、Ｘ電極２１におけるＸ非形成部分２３の数及び配置等は、図１８Ａに示す例に限定されない。また、Ｘ電極線群２４を構成するＸ電極線２２の数が相互に異なっていてもよい。
【０１８２】
また、上述のＸ電極線２２を形成する単位形状４０は、屈曲点４１で直線状に折れ曲がった折曲形状に特に限定されない。例えば、第１実施形態で説明した図６（ｂ）に示す単位形状４０Ｂのように、中央に位置する凸状円弧４２と、当該凸状円弧４２の両端から連続的に広がる凹状円弧４３と、から構成される湾曲形状であってもよい。この場合には、同図に示すように、Ｘ電極線２２Ｂは、全体として、曲線凸形状と曲線凹形状を交互に繰り返す正弦波型の繰り返し形状を有する。
【０１８３】
複数のＸ電極２１は、図１８Ａに示すように、下記の（１０）式を満たす第２のピッチＰ２でＹ方向に実質的に等間隔に並べられており、相互に隣り合うＸ電極２１の間にはＸ電極スペース２０１が設けられている。但し、下記の（１０）式において、Ｍは２以上の自然数であり、本実施形態ではＭは１６である（Ｍ＝１６）。
【０１８４】
Ｐ２＝Ｍ×Ｐ１  …  （１０）
【０１８５】
Ｙ電極３１も、図１８Ｂに示すように、複数（本例では１２本）のＹ電極線３２を備えている。それぞれのＹ電極線３２は、Ｙ方向に沿って延在するように透明基板１０の下面１２に設けられており、複数の単位形状４０を連続的に繰り返すことで形成されている。このＹ電極線３２を構成する単位形状４０は、屈曲点４１で直線状に折れ曲がった三角凸形状であり、上述のＸ電極線２２を構成する単位形状４０と同一の形状である。このＹ電極線３２は、全体として、三角凸形状と三角凹形状を交互に繰り返すジグザグな三角波型の繰り返し形状を有している。なお、このＹ電極線３２を構成する単位形状４０は、特に限定されず、上述のＸ電極線２２を構成する単位形状４０と同一でなくてもよい。
【０１８６】
これら複数のＹ電極線３２は、屈曲点４１がＸ方向において実質的に一致するように相互に実質的に平行に配列されており、すなわち、複数のＹ電極線３２の屈曲点４１が、Ｘ方向に延在する同一の仮想直線上に位置している。また、本実施形態におけるＹ電極３１は、後述の第１のＸ中間接続線２７１に対応するＹ電極線３２が形成されていないＹ非形成部分（Ｙ除去部分）３３を有しており、換言すれば、このＹ非形成部分３３では、第１のＸ中間接続線２７１に対応するＹ電極線３２が除去されている。すなわち、本実施形態では、１つのＹ電極３１は、第３のピッチＰ３で配置された３本のＹ電極線３２からなるＹ電極線群３４を４組備え、当該Ｙ電極線群３４同士は、第３のピッチＰ３の４倍のピッチで配置されており、当該Ｙ電極線群３４の間にＹ非形成部分３３が設けられている。このＹ電極線３２間の第３のピッチＰ３と、上述のＸ電極線２２間の第１のピッチＰ１とは、下記の（１１）式を満たしている。
【０１８７】
Ｐ１＝Ｐ３  …  （１１）
【０１８８】
なお、Ｙ電極３１を構成するＹ電極線３２の数、Ｙ電極線３２間のピッチ、Ｙ電極３１を構成するＹ電極群３４の数、Ｙ電極線群３４間のピッチ、並びに、Ｙ電極３１におけるＹ非形成部分３３の数及び配置等は、図１８Ｂに示す例に限定されない。また、Ｙ電極線群３４を構成するＹ電極線３２の数が相互に異なっていてもよい。
【０１８９】
以上に説明した複数のＹ電極３１は、図１８Ｂに示すように、下記の（１２）式を満たす第４のピッチＰ４でＸ方向に実質的に等間隔に並べられており、相互に隣り合うＹ電極３１の間にはＹ電極スペース３０１が設けられている。但し、下記の（１２）式において、Ｎは２以上の自然数であり、本実施形態ではＮは２０である（Ｎ＝２０）。
【０１９０】
Ｐ４＝Ｎ×Ｐ３  …  （１２）
【０１９１】
すなわち、本実施形態では、Ｘ電極線２２間の第１のピッチＰ１とＹ電極線３２間の第３のピッチＰ３が同一ではあるが（上記の（１１）式を参照）、上述の自然数Ｍと自然数Ｎが異なるため（Ｍ≠Ｎ）、結果的に、Ｘ電極２１間の第２のピッチＰ２とＹ電極３１間の第４のピッチＰ４が異なっている（Ｐ２≠Ｐ４）。このため、本実施形態では、Ｘ電極スペース２０１のＹ方向に沿った幅ＷＸが２×Ｐ１となっているのに対し（ＷＸ＝２×Ｐ１）、Ｙ電極スペース３０１のＸ方向に沿った幅ＷＹが６×Ｐ３となっており（ＷＹ＝６×Ｐ３）、Ｙ電極スペース３０１がＸ電極スペース２０１よりも広くなっている。
【０１９２】
本実施形態におけるＸ電極２１は、図１８Ａに示すように、Ｘ電極線２２同士を途中で電気的に接続する２種類のＸ中間接続線２７１，２７２をさらに備えている。
【０１９３】
第１及び第２のＸ中間接続線２７１，２７２は、いずれもＹ方向に沿って延在するように透明基板１０の上面１１に設けられ、Ｘ電極線２２の一端から他端との間で、Ｘ電極２１が有する複数のＸ電極線２２を電気的に接続している。第１のＸ中間接続線２７１は、７／２の単位形状４０を連続的に繰り返すことで形成されており、上述のＹ非形成部分３３に対応するように透明基板１０の上面１１に設けられている。一方、第２のＸ中間接続線２７２は、１／２の単位形状４０から構成されており、上述のＹ電極スペース３０１に対応するように透明基板１０の上面１１に設けられている。第１及び第２のＸ中間接続線２７１，２７２は、平面視において、屈曲点４１がＸ方向において実質的に一致するようにＹ電極線３２と相互に実質的に平行に配列されている。
【０１９４】
特に、本実施形態では、図１８Ａに示すように、上述のように、Ｙ電極スペース３０１がＸ電極スペース２０１よりも広くなっているため、当該Ｙ電極スペース３０１において、複数（本例では５つ）の第２のＸ中間接続線２７２が実質的に平行に配列されている。
【０１９５】
第１及び第２のＸ中間接続線２７１，２７２を構成する単位形状４０は、屈曲点４１で直線状に折れ曲がった三角凸形状であり、上述のＹ電極線３２を構成する単位形状４０と同一の形状である。第１のＸ中間接続線２７１は、全体として、三角凸形状と三角凹形状を交互に繰り返すジグザグな三角波型の繰り返し形状を有している。一方、第２のＸ中間接続線２７２は、２つの屈曲点４１間を結ぶ直線形状のみで構成されている。なお、第１及び第２のＸ中間接続線２７１，２７２を構成する単位形状４０は、上述のＹ電極線３２を構成する単位形状４０と同一であれば、特に限定されない。
【０１９６】
なお、本実施形態における第１及び第２のＸ中間接続線２７１，２７２が本発明における第１の中間接続線の一例に相当し、本実施形態における第２のＸ中間接続線２７２が本発明における第１の介在接続線の一例に相当する。
【０１９７】
同様に、本実施形態におけるＹ電極３１も、図１８Ｂに示すように、Ｙ電極線３２同士を途中で電気的に接続する２種類のＹ中間接続線３７１，３７２をさらに備えている。
【０１９８】
第１及び第２のＸ中間接続線３７１，３７２は、いずれもＸ方向に沿って延在するように透明基板１０の下面１２に設けられ、Ｙ電極線３２の一端から他端との間で、Ｙ電極３１が有する複数のＹ電極線３２を電気的に接続している。第１のＹ中間接続線３７１は、７／２の単位形状４０を連続的に繰り返すことで形成されており、上述のＸ非形成部分２３に対応するように透明基板１０の下面１２に設けられている。一方、第２のＹ中間接続線３７２は、１／２の単位形状４０を連続的に繰り返すことで形成されており、上述のＸ電極スペース２０１に対応するように透明基板１０の下面１２に設けられている。第１及び第２のＹ中間接続線３７１，３７２は、平面視において、屈曲点４１がＹ方向において実質的に一致するようにＸ電極線２２と相互に実質的に平行に配列されている。
【０１９９】
第１及び第２のＹ中間接続線３７１，３７２を構成する単位形状４０は、屈曲点４１で直線状に折れ曲がった三角凸形状であり、上述のＸ電極線２２を構成する単位形状４０と同一の形状である。第１のＹ中間接続線３７１は、全体として、三角凸形状と三角凹形状を交互に繰り返すジグザグな三角波型の繰り返し形状を有している。一方、第２のＹ中間接続線３７２は、２つの屈曲点４１間を結ぶ直線形状のみで構成されている。なお、第１及び第２のＹ中間接続線３７１，３７２を構成する単位形状４０は、上述のＸ電極線２２を構成する単位形状４０と同一であれば、特に限定されない。
【０２００】
なお、本実施形態における第１及び第２のＹ中間接続線３７１，３７２が本発明における第２の中間接続線の一例に相当し、本実施形態における第２のＹ中間接続線３７２が本発明における第２の介在接続線の一例に相当する。
【０２０１】
さらに、本実施形態におけるＸ電極２１は、図１８Ａに示すように、Ｘ電極線２２の間に介在している複数の第１のＸ補助線２８１をさらに備えている。
【０２０２】
それぞれの第１のＸ補助線２８１は、Ｘ方向に延在するように透明基板１０の上面１１に設けられ、３／２の単位形状４０で形成されている。この第１のＸ補助線２８１は、上述のＸ非形成部分２３に設けられており、屈曲点４１がＹ方向において実質的に一致するようにＸ電極線２２と実質的に平行に配列されていると共に、相互に隣り合う２つの第１のＹ中間接続線３７１の間に配置されている。
【０２０３】
結果的に、図１８Ａに示すように、この第１のＸ補助線２８１とＸ電極線２２は、第１のピッチＰ１で実質的に等間隔に配置されており、この第１のＸ補助線２８１は、平面視において、第１のＹ中間接続線３７１と共にジグザグな三角波型の繰り返し形状を形成している（図１８Ｃ参照）。
【０２０４】
なお、本実施形態では、この第１のＸ補助線２８１は、第２のＸ中間接続線（Ｘ介在接続線）２７２と交差していない。このように、第１のＸ補助線２８１を第２のＸ中間接続線２７２と非交差とすることで、下側のＹ電極３１からの電気力線がカバー部材５０の上側に到達し易くなるので、タッチパネルの検出精度が向上する。
【０２０５】
この第１のＸ補助線２８１を構成する単位形状４０は、屈曲点４１で直線状に折れ曲がった三角凸形状であり、上述のＸ電極線２２を構成する単位形状４０と同一の形状である。なお、この第１のＸ補助線２８１を構成する単位形状４０は、上述のＸ電極線２２を構成する単位形状４０と同一であれば、特に限定されない。
【０２０６】
なお、本実施形態における第１のＸ補助線２８１が、本発明における第１の補助線の一例に相当する。
【０２０７】
同様に、本実施形態におけるＹ電極３１も、図１８Ｂに示すように、Ｙ電極線３２の間に介在している複数のＹ補助線３８をさらに備えている。
【０２０８】
それぞれのＹ補助線３８は、Ｙ方向に延在するように透明基板１０の下面１２に設けられ、１／２の単位形状４０で形成されている。このＹ補助線３８は、上述のＹ非形成部分３３に設けられており、屈曲点４１がＸ方向において実質的に一致するようにＹ電極線３２と実質的に平行に配列されていると共に、相互に隣り合う２つの第１のＸ中間接続線２７１の間に配置されている。
【０２０９】
結果的に、図１８Ｂに示すように、このＹ補助線３８とＹ電極線３２は、第３のピッチＰ３で実質的に等間隔に配置されており、このＹ補助線３８は、平面視において、第１のＸ中間接続線２７１と共にジグザグな三角波型の繰り返し形状を形成している（図１８Ｃ参照）。
【０２１０】
なお、本実施形態では、このＹ補助線３８は、第２のＹ中間接続線（Ｙ介在接続線）３７２と交差していない。Ｘ電極２１をＹ電極の下側に形成した場合には、Ｙ補助線３８を第２のＹ中間接続線３７２と非交差とすることで、Ｘ電極２１からの電気力線がカバー部材５０の上方に到達し易くなり、タッチパネルの検出精度が向上する。
【０２１１】
このＹ補助線３８を構成する単位形状４０は、屈曲点４１で直線状に折れ曲がった三角凸形状であり、上述のＹ電極線３２を構成する単位形状４０と同一の形状である。本実施形態におけるＹ補助線３８は、２つの屈曲点４１間を結ぶ直線形状のみで構成されている。なお、このＹ補助線３８を構成する単位形状４０は、上述のＹ電極線３２を構成する単位形状４０と同一であれば、特に限定されない。
【０２１２】
なお、本実施形態における第１のＹ補助線３８１が、本発明における第２の補助線の一例に相当する。
【０２１３】
さらに、本実施形態では、Ｘ方向に沿って延在する２種類のＸダミー線２９１，２９２が、透明基板１０の上面１１に設けられている。
【０２１４】
第１及び第２のＸダミー線２９１，２９２は、いずれも上述のＸ電極スペース２０１に設けられており、屈曲点４１がＹ方向において実質的に一致するようにＸ電極線２２と実質的に平行に配列されていると共に、相互に隣り合う２つの第２のＹ中間接続線３７２の間に配置されている。結果的に、図１８Ａに示すように、第１及び第２のＸダミー線２９１，２９２とＸ電極線２２は、第１のピッチＰ１で実質的に等間隔に配置されている。また、第１及び第２のＸダミー線２９１，２９２は、平面視において、第２のＹ中間接続線３７２と共にジグザグな三角波型の繰り返し形状を形成している（図１８Ｃ参照）。
【０２１５】
第１及び第２のＸダミー線２９１，２９２を構成する単位形状４０は、屈曲点４１で直線状に折れ曲がった三角凸形状であり、上述のＸ電極線２２を構成する単位形状４０と同一の形状である。第１のＸダミー線２９１は、２つの屈曲点４１間を結ぶ直線形状のみで構成されており、上述のＹ非形成部分３３に対応するようにＸ電極スペース２０１に設けられている。一方、第２のＸダミー線２９２は、３／２の単位形状４０で形成されており、上述のＹ電極スペース３０１に対応するようにＸ電極スペース２０１に設けられている。なお、この第１及び第２のＸダミー線２９を構成する単位形状４０は、上述のＸ電極線２２を構成する単位形状４０と同一であれば、特に限定されない。
【０２１６】
なお、本実施形態における第１及び第２のＸダミー線２９１，２９２が、本発明における第１のダミー線の一例に相当する。
【０２１７】
同様に、本実施形態では、１／２の単位形状４０で形成され、Ｙ方向に沿って延在する第１のＹダミー線３９１が、透明基板１０の下面１２に設けられている。
【０２１８】
この第１のＹダミー線３９１は、上述のＹ電極スペース３０１に設けられており、屈曲点４１がＸ方向において実質的に一致するようにＹ電極線３２と実質的に平行に配列されていると共に、相互に隣り合う２つの第２のＸ中間接続線２７２の間に配置されている。結果的に、図１８Ｂに示すように、この第１のＹダミー線３９１とＹ電極線３２は、第３のピッチＰ３で実質的に等間隔に配置されている。また、この第１のＹダミー線３９１は、平面視において、第２のＸ中間接続線２７２と共にジグザグな三角波型の繰り返し形状を形成している（図１８Ｃ参照）。
【０２１９】
特に、本実施形態では、図１８Ｂに示すように、上述のように、Ｙ電極スペース３０１がＸ電極スペース２０１よりも広くなっているため、当該Ｙ電極スペース３０１において、複数（本例では５つ）の第１のＹダミー線３９１が実質的に平行に配列されている。
【０２２０】
この第１のＹダミー線３９１を構成する単位形状４０は、屈曲点４１で直線状に折れ曲がった三角凸形状であり、上述のＹ電極線３２を構成する単位形状４０と同一の形状である。本実施形態における第１のＹダミー線３９１は、２つの屈曲点４１間を結ぶ直線形状のみで構成されている。なお、この第１のＹダミー線３９１を構成する単位形状４０は、上述のＹ電極線３２を構成する単位形状４０と同一であれば、特に限定されない。
【０２２１】
なお、本実施形態における第１のＹダミー線３９１が、本発明における第２のダミー線の一例に相当する。
【０２２２】
以上に説明したＸ電極２１及びＹ電極３１は、図１８Ｃに示すように、平面視において、複数種の多角形からなる格子状のパターンを形成している。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【０２２３】
本実施形態では、上述の実施形態と同様に、Ｘ中間接続線２７１，２７２が複数のＸ電極線２２を途中で電気的に接続しているため、Ｘ電極線２２が断線しても、Ｘ中間接続線２７１，２７２を介して当該Ｘ電極線２２の非断線部分を他のＸ電極線２２に電気的に接続することができる。同様に、Ｙ中間接続線３７１，３７２が複数のＹ電極線３２を途中で電気的に接続しているため、Ｙ電極線３２が断線しても、Ｙ中間接続線３７１，３７２を介して当該Ｙ電極線３２の非断線部分を他のＹ電極線３２に電気的に接続することができる。このため、タッチパネルの信頼性の向上を図ることができる。
【０２２４】
また、本実施形態では、上述の実施形態と同様に、Ｘ電極２１がＸ非形成部分２３を有しているので、第１のＹ中間接続線３７１がＸ電極線２１と重なることがない。同様に、Ｙ電極３１がＹ非形成部分３３を有しているので、第１のＸ中間接続線２７１がＹ電極線３２と重なることがない。そのため、Ｘ電極線２２やＹ電極線３２が部分的に濃く見えてしまうことがないので、タッチパネルの良好な視認性を確保することもできる。
【０２２５】
また、本実施形態では、上述の実施形態と同様に、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【０２２６】
また、本実施形態では、上述の実施形態と同様に、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネルの良好な視認性を確保することができる。
【０２２７】
さらに、本実施形態では、上述の実施形態と同様に、平面視において、Ｘ電極線２２がＸ方向に沿って延在していると共に、第１のＹ中間接続線３７１と第１のＸ補助線２８１が一体となってＸ方向に沿った繰り返し形状を形成し、第２のＹ中間接続線３７２とＸダミー線２９１，２９２も一体となってＸ方向に沿った繰り返し形状を形成している。このため、図１８Ｃに示すように、平面視において、Ｘ方向に沿った複数の繰り返し形状が、透明基板の中央領域全体に一様に第１のピッチＰ１で実質的に等間隔に配置されるので、タッチパネルの良好な視認性を確保することができる。
【０２２８】
同様に、本実施形態では、平面視において、Ｙ電極線３２がＹ方向に沿って延在していると共に、第１のＸ中間接続線２７１とＹ補助線３８が一体となってＹ方向に沿った繰り返し形状を形成し、第２のＸ中間接続線２７２と第１のＹダミー線３９１も一体となってＹ方向に沿った繰り返し形状を形成している。このため、図１８Ｃに示すように、平面視において、Ｙ方向に沿った複数の繰り返し形状が、透明基板の中央領域全体に一様に第３のピッチＰ３で実質的に等間隔に配置されるので、タッチパネルの良好な視認性を確保することができる。
【０２２９】
≪第７実施形態≫
図１９Ａは本発明の第７実施形態におけるタッチパネルのＸ電極を示す平面図、図１９Ｂは本発明の第７実施形態におけるタッチパネルのＹ電極を示す平面図である。なお、この図１９Ａ〜図１９Ｂは、上述の図５，図８と同様に、いずれもタッチパネルの電極の一部を拡大した図である。
【０２３０】
本実施形態では、ＸＹ電極の構成が第６実施形態と相違するが、それ以外の構成は第６実施形態と同様である。以下に、第７実施形態におけるタッチパネルについて第６実施形態との相違点についてのみ説明し、第６実施形態と同様の構成である部分については同一符号を付して説明を省略する。
【０２３１】
本実施形態では、図１９Ａに示すように、第１のＸ中間接続線２７１が、第２のＸ中間接続線２７２と同様に、１／２の単位形状４０から構成されている。また、これに伴って、図１９Ｂに示すように、Ｙ方向に相互に隣り合う第１のＸ中間接続線２７１の間にＹ補助線３８がそれぞれ介在するように、第２実施形態と比べてＹ補助線３８が増設されている。
【０２３２】
一方、図１９Ｂに示すように、第１のＹ中間接続線３７１が、第２のＹ中間接続線３７２と同様に、１／２の単位形状４０から構成されている。また、これに伴って、図１９Ａに示すように、Ｘ方向に相互に隣り合う第１のＹ中間接続線３７１の間にそれぞれ介在するように、第２のＸ補助線２８２が透明基板１０の上面１１に設けられている。
【０２３３】
それぞれの第２のＸ補助線２８２は、Ｘ方向に延在するように透明基板１０の上面１１に設けられ、１／２の単位形状４０で形成されている。この第２のＸ補助線２８２は、上述のＸ非形成部分２３に設けられており、屈曲点４１がＹ方向において実質的に一致するようにＸ電極線２２と実質的に平行に配列されていると共に、相互に隣り合う２つの第１のＹ中間接続線３７１の間に配置されている。
【０２３４】
結果的に、図１９Ａに示すように、この第２のＸ補助線２８２とＸ電極線２２は、第１のピッチＰ１で実質的に等間隔に配置されており、この第２のＸ補助線２８２は、平面視において、第１のＹ中間接続線３７１や第１のＸ補強線２８１と共にジグザグな三角波型の繰り返し形状を形成している（図１８Ｃ参照）。
【０２３５】
第２のＸ補助線２８２を構成する単位形状４０は、屈曲点４１で直線状に折れ曲がった三角凸形状であり、上述のＸ電極線２２を構成する単位形状４０と同一の形状である。本実施形態における第２のＸ補助線２８２は、２つの屈曲点４１間を結ぶ直線形状のみで構成されている。なお、この第２のＸ補助線２８２を構成する単位形状４０は、上述のＸ電極線３２を構成する単位形状４０と同一であれば、特に限定されない。
【０２３６】
なお、本実施形態における第１及び第２のＸ補助線２８１，２８２が本発明における第１の補助線の一例に相当する。
【０２３７】
本実施形態では、第６実施形態と同様に、平面視において、Ｘ電極２１及びＹ電極３１が複数種の多角形からなる格子状のパターンを形成している（図１８Ｃ参照）。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【０２３８】
本実施形態では、上述の実施形態と同様に、Ｘ中間接続線２７１，２７２が複数のＸ電極線２２を途中で電気的に接続しているため、Ｘ電極線２２が断線しても、Ｘ中間接続線２７１，２７２を介して当該Ｘ電極線２２の非断線部分を他のＸ電極線２２に電気的に接続することができる。同様に、Ｙ中間接続線３７１，３７２が複数のＹ電極線３２を途中で電気的に接続しているため、Ｙ電極線３２が断線しても、Ｙ中間接続線３７１，３７２を介して当該Ｙ電極線３２の非断線部分を他のＹ電極線３２に電気的に接続することができる。このため、タッチパネルの信頼性の向上を図ることができる。
【０２３９】
また、本実施形態では、上述の実施形態と同様に、Ｘ電極２１がＸ非形成部分２３を有しているので、第１のＹ中間接続線３７１がＸ電極線２１と重なることがない。同様に、Ｙ電極３１がＹ非形成部分３３を有しているので、第１のＸ中間接続線２７１がＹ電極線３２と重なることがない。そのため、Ｘ電極線２２やＹ電極線３２が部分的に濃く見えてしまうことがないので、タッチパネルの良好な視認性を確保することもできる。
【０２４０】
また、本実施形態では、上述の実施形態と同様に、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【０２４１】
また、本実施形態では、上述の実施形態と同様に、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネルの良好な視認性を確保することができる。
【０２４２】
さらに、本実施形態では、上述の実施形態と同様に、平面視において、Ｘ電極線２２がＸ方向に沿って延在していると共に、第１のＹ中間接続線３７１と第１及び第２のＸ補助線２８１，２８２が一体となってＸ方向に沿った繰り返し形状を形成し、第２のＹ中間接続線３７２と第１及び第２のＸダミー線２９１，２９２も一体となってＸ方向に沿った繰り返し形状を形成している。このため、平面視において、Ｘ方向に沿った複数の繰り返し形状が、透明基板の中央領域全体に一様に第１のピッチＰ１で実質的に等間隔に配置されるので、タッチパネルの良好な視認性を確保することができる（図１８Ｃ参照）。
【０２４３】
同様に、本実施形態では、平面視において、Ｙ電極線３２がＹ方向に沿って延在していると共に、第１のＸ中間接続線２７１とＹ補助線３８が一体となってＹ方向に沿った繰り返し形状を形成し、第２のＸ中間接続線２７２と第１のＹダミー線３９１も一体となってＹ方向に沿った繰り返し形状を形成している。このため、平面視において、Ｙ方向に沿った複数の繰り返し形状が、透明基板の中央領域全体に一様に第３のピッチＰ３で実質的に等間隔に配置されるので、タッチパネルの良好な視認性を確保することができる（図１８Ｃ参照）。
【０２４４】
≪第８実施形態≫
図２０Ａは本発明の第８実施形態におけるタッチパネルのＸ電極を示す平面図、図２０Ｂは本発明の第８実施形態におけるタッチパネルのＹ電極を示す平面図である。なお、この図２０Ａ〜図２０Ｂは、上述の図５，図８と同様に、いずれもタッチパネルの電極の一部を拡大した図である。
【０２４５】
本実施形態では、ＸＹ電極の構成が第６実施形態と相違するが、それ以外の構成は第６実施形態と同様である。以下に、第８実施形態におけるタッチパネルについて第６実施形態との相違点についてのみ説明し、第６実施形態と同様の構成である部分については同一符号を付して説明を省略する。
【０２４６】
本実施形態では、図２０Ａに示すように、第１のＸ補助線２８１が、１／２の単位形状４０から構成されていると共に、第２のＸダミー線２９２が第１のＸダミー線２９１に置き換えられている。また、これに伴って、図２０Ｂに示すように、Ｙ電極スペース３０１に、第１のＹダミー線３９１に加えて、第２のＹダミー線３９２が設けられている。この第２のＹダミー線３９２は、Ｘ方向に相互に隣り合う第１のＸ補助線２８１の間（またはＸ方向に相互に隣り合う第２のＸダミー線２９１の間）に介在するように設けられている。
【０２４７】
この第２のＹダミー線３９２は、上述のＹ電極スペース３０１に設けられており、屈曲点４１がＹ方向において実質的に一致するようにＸ電極線２２と実質的に平行に配列されていると共に、相互に隣り合う２つの第１のＸ補助線２８１の間（またはＸ方向に相互に隣り合う第１のＸダミー線２９１の間）に配置されている。結果的に、図２０Ｂに示すように、この第２のＹダミー線３９２とＸ電極線２２は、第３のピッチＰ１で実質的に等間隔に配置されている。また、この第２のＹダミー線３９２は、平面視において、第１のＹ中間接続線３７１及び第１のＸ補助線２８１（または、第２のＹ中間接続線３７２及び第１のＸダミー線２９１）と共にジグザグな三角波型の繰り返し形状を形成している。
【０２４８】
この第２のＹダミー線３９２を構成する単位形状４０は、屈曲点４１で直線状に折れ曲がった三角凸形状であり、上述のＸ電極線２２を構成する単位形状４０と同一の形状である。本実施形態における第２のＹダミー線３９２は、２つの屈曲点４１間を結ぶ直線形状のみで構成されている。なお、この第２のＹダミー線３９２を構成する単位形状４０は、上述のＸ電極線２２を構成する単位形状４０と同一であれば、特に限定されない。
【０２４９】
なお、本実施形態における第１のＸ補助線２８１が本発明における第１の補助線の一例に相当し、本実施形態における第１のＸダミー線２９１が本発明における第１のダミー線の一例に相当し、本実施形態における第１のＹダミー線３９１が本発明における第２のダミー線の一例に相当し、本実施形態における第２のＹダミー線３９２が本発明における第３のダミー線の一例に相当する。
【０２５０】
本実施形態では、第６実施形態と同様に、平面視において、Ｘ電極２１及びＹ電極３１が複数種の多角形からなる格子状のパターンを形成している（図１８Ｃ参照）。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【０２５１】
本実施形態では、上述の実施形態と同様に、Ｘ中間接続線２７１，２７２が複数のＸ電極線２２を途中で電気的に接続しているため、Ｘ電極線２２が断線しても、Ｘ中間接続線２７１，２７２を介して当該Ｘ電極線２２の非断線部分を他のＸ電極線２２に電気的に接続することができる。同様に、Ｙ中間接続線３７１，３７２が複数のＹ電極線３２を途中で電気的に接続しているため、Ｙ電極線３２が断線しても、Ｙ中間接続線３７１，３７２を介して当該Ｙ電極線３２の非断線部分を他のＹ電極線３２に電気的に接続することができる。このため、タッチパネルの信頼性の向上を図ることができる。
【０２５２】
また、本実施形態では、上述の実施形態と同様に、Ｘ電極２１がＸ非形成部分２３を有しているので、第１のＹ中間接続線３７１がＸ電極線２１と重なることがない。同様に、Ｙ電極３１がＹ非形成部分３３を有しているので、第１のＸ中間接続線２７１がＹ電極線３２と重なることがない。そのため、Ｘ電極線２２やＹ電極線３２が部分的に濃く見えてしまうことがないので、タッチパネルの良好な視認性を確保することもできる。
【０２５３】
また、本実施形態では、上述の実施形態と同様に、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【０２５４】
また、本実施形態では、上述の実施形態と同様に、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネルの良好な視認性を確保することができる。
【０２５５】
さらに、本実施形態では、上述の実施形態と同様に、平面視において、Ｘ電極線２２がＸ方向に沿って延在していると共に、第１のＹ中間接続線３７１と第１のＸ補助線２８１と第２のＹダミー線３９２が一体となってＸ方向に沿った繰り返し形状を形成し、第２のＹ中間接続線３７２と第１のＸダミー線２９１と第２のＹダミー線３９２も一体となってＸ方向に沿った繰り返し形状を形成している。このため、平面視において、Ｘ方向に沿った複数の繰り返し形状が、透明基板の中央領域全体に一様に第１のピッチＰ１で実質的に等間隔に配置されるので、タッチパネルの良好な視認性を確保することができる（図１８Ｃ参照）。
【０２５６】
同様に、本実施形態では、平面視において、Ｙ電極線３２がＹ方向に沿って延在していると共に、第１のＸ中間接続線２７１とＹ補助線３８が一体となってＹ方向に沿った繰り返し形状を形成し、第２のＸ中間接続線２７２と第１のＹダミー線３９１も一体となってＹ方向に沿った繰り返し形状を形成している。このため、平面視において、Ｙ方向に沿った複数の繰り返し形状が、透明基板の中央領域全体に一様に第３のピッチＰ３で実質的に等間隔に配置されるので、タッチパネルの良好な視認性を確保することができる（図１８Ｃ参照）。
【０２５７】
≪第９実施形態≫
図２１Ａは本発明の第９実施形態におけるタッチパネルのＸ電極を示す平面図、図２１Ｂは本発明の第９実施形態におけるタッチパネルのＹ電極を示す平面図である。なお、この図２１Ａ〜図２１Ｂは、上述の図５，図８と同様に、いずれもタッチパネルの電極の一部を拡大した図である。
【０２５８】
本実施形態では、ＸＹ電極の構成が第８実施形態と相違するが、それ以外の構成は第８実施形態と同様である。以下に、第９実施形態におけるタッチパネルについて第８実施形態との相違点についてのみ説明し、第８実施形態と同様の構成である部分については同一符号を付して説明を省略する。
【０２５９】
本実施形態では、図２１Ａに示すように、第１のＸ中間接続線２７１が、第２のＸ中間接続線２７２と同様に、１／２の単位形状４０から構成されている。また、これに伴って、図２１Ｂに示すように、Ｙ方向に相互に隣り合う第１のＸ中間接続線２７１の間にＹ補助線３８がそれぞれ介在するように、第８実施形態と比べてＹ補助線３８が増設されている。
【０２６０】
同様に、図２１Ｂに示すように、第１のＹ中間接続線３７１が、第２のＹ中間接続線３７２と同様に、１／２の単位形状４０から構成されている。また、これに伴って、図２１Ａに示すように、Ｘ方向に相互に隣り合う第１のＹ中間接続線３７１の間に第１のＸ補助線２８１がそれぞれ介在するように、第８実施形態と比べて第１のＸ補助線２８１が増設されている。
【０２６１】
本実施形態では、第８実施形態と同様に、平面視において、Ｘ電極２１及びＹ電極３１が複数種の多角形からなる格子状のパターンを形成している（図１８Ｃ参照）。このように、本実施形態では、Ｘ電極線２２の間隔やＹ電極線３２の間隔は均等であるが、それらを重ね合わせることで形成される格子の種類は単一ではなく、格子の種類によって線の長さが変わるので、表示装置のカラーフィルタに形成されたブラックマトリクスとのモアレ現象の発生を抑制することができる。
【０２６２】
本実施形態では、上述の実施形態と同様に、Ｘ中間接続線２７１，２７２が複数のＸ電極線２２を途中で電気的に接続しているため、Ｘ電極線２２が断線しても、Ｘ中間接続線２７１，２７２を介して当該Ｘ電極線２２の非断線部分を他のＸ電極線２２に電気的に接続することができる。同様に、Ｙ中間接続線３７１，３７２が複数のＹ電極線３２を途中で電気的に接続しているため、Ｙ電極線３２が断線しても、Ｙ中間接続線３７１，３７２を介して当該Ｙ電極線３２の非断線部分を他のＹ電極線３２に電気的に接続することができる。このため、タッチパネルの信頼性の向上を図ることができる。
【０２６３】
また、本実施形態では、上述の実施形態と同様に、Ｘ電極２１がＸ非形成部分２３を有しているので、第１のＹ中間接続線３７１がＸ電極線２１と重なることがない。同様に、Ｙ電極３１がＹ非形成部分３３を有しているので、第１のＸ中間接続線２７１がＹ電極線３２と重なることがない。そのため、Ｘ電極線２２やＹ電極線３２が部分的に濃く見えてしまうことがないので、タッチパネルの良好な視認性を確保することもできる。
【０２６４】
また、本実施形態では、上述の実施形態と同様に、電極線２２，３２等がＸ方向やＹ方向に延在すると共に相互に実質的に平行に配置されているので、三角格子、四角格子、又は、ハニカム格子のような単一種の格子を繰り返したメッシュパターンで構成された電極と比較して、Ｘ電極スペース２０１やＹ電極スペース３０１が視覚的に目立ってしまうのを抑制することができる。
【０２６５】
また、本実施形態では、上述の実施形態と同様に、電極線２２，３２等を構成する単位形状４０が直線状に折り曲がった折曲形状であり、それにより形成される繰り返し形状が三角波型の繰り返し形状であるので、表示装置のカラーフィルタに形成されたブラックマトリクスとのモアレ現象の発生を抑制することができ、タッチパネル１の良好な視認性を確保することができる。
【０２６６】
さらに、本実施形態では、上述の実施形態と同様に、平面視において、Ｘ電極線２２がＸ方向に沿って延在していると共に、第１のＹ中間接続線３７１と第１のＸ補助線２８１と第２のＹダミー線３９２が一体となってＸ方向に沿った繰り返し形状を形成し、第２のＹ中間接続線３７２と第１のＸダミー線２９１と第２のＹダミー線３９２も一体となってＸ方向に沿った繰り返し形状を形成している。このため、平面視において、Ｘ方向に沿った複数の繰り返し形状が、透明基板の中央領域全体に一様に第１のピッチＰ１で実質的に等間隔に配置されるので、タッチパネルの良好な視認性を確保することができる（図１８Ｃ参照）。
【０２６７】
同様に、本実施形態では、平面視において、Ｙ電極線３２がＹ方向に沿って延在していると共に、第１のＸ中間接続線２７１とＹ補助線３８が一体となってＹ方向に沿った繰り返し形状を形成し、第２のＸ中間接続線２７２と第１のＹダミー線３９１も一体となってＹ方向に沿った繰り返し形状を形成している。このため、平面視において、Ｙ方向に沿った複数の繰り返し形状が、透明基板の中央領域全体に一様に第３のピッチＰ３で実質的に等間隔に配置されるので、タッチパネルの良好な視認性を確保することができる（図１８Ｃ参照）。
【０２６８】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０２６９】
例えば、上述の第１〜第９実施形態では、本発明をタッチパネルに適用した例について説明したが、タッチパネル以外の入力装置に本発明を適用してもよい。本発明を適用することのできる入力装置の具体例としては、例えば、ノートパソコンのキーボードの近傍等に設けられたタッチパッドを例示することができる。
【０２７０】
また、例えば、上述の第１実施形態と同様に、第２〜第９実施形態において、単位形状４０の折れ曲げり角度θを６０°、７５°、９０°、１０５°等の１２０度以外の角度としてもよい。
【符号の説明】
【０２７１】
１…タッチパネル
１０…透明基板
１１…上面
１２…下面
１３…中央領域
１４…額縁領域
１５…透明接着剤
２０…Ｘ電極群
２０１…Ｘ電極スペース
２１…Ｘ電極
２２…Ｘ電極線
２３…Ｘ非形成部分
２４…Ｘ電極線群
２５…Ｘ端部接続線
２６…Ｘ引出線
２７…Ｘ中間接続線
２７ａ…Ｘ介在接続線
２７１…第１のＸ中間接続線
２７２…第２のＸ中間接続線
２８…Ｘ補助線
２８１…第１のＸ補助線
２８２…第２のＸ補助線
２９…Ｘダミー線
２９１…第１のＸダミー線
２９２…第２のＸダミー線
３０…Ｙ電極群
３０１…Ｙ電極スペース
３１…Ｙ電極
３２…Ｙ電極線
３３…Ｙ非形成部分
３４…Ｙ電極線群
３５…Ｙ端部接続線
３６…Ｙ引出線
３７…Ｙ中間接続線
３７ａ…Ｙ介在接続線
３７１…第１のＹ中間接続線
３７２…第２のＹ中間接続線
３８…Ｙ補助線
３９…Ｙダミー線
３９１…第１のＹダミー線
３９２…第２のＹダミー線
４０，４０Ｂ…単位形状
４１…屈曲点
４２…凸状円弧
４３…凹状円弧
５０…カバー部材
５１…下面
６０…タッチパネル駆動回路
【図１】
2015165377.tif 000003
【図２】
2015165377.tif 000004
【図３】
2015165377.tif 000005
【図４】
2015165377.tif 000006
【図５】
2015165377.tif 000007
【図６】
2015165377.tif 000008
【図７】
2015165377.tif 000009
【図８】
2015165377.tif 000010
【図９】
2015165377.tif 000011
【図１０】
2015165377.tif 000012
【図１１】
2015165377.tif 000013
【図１２】
2015165377.tif 000014
【図１３】
2015165377.tif 000015
【図１４Ａ】
2015165377.tif 000016
【図１４Ｂ】
2015165377.tif 000017
【図１４Ｃ】
2015165377.tif 000018
【図１５Ａ】
2015165377.tif 000019
【図１５Ｂ】
2015165377.tif 000020
【図１６Ａ】
2015165377.tif 000021
【図１６Ｂ】
2015165377.tif 000022
【図１６Ｃ】
2015165377.tif 000023
【図１７Ａ】
2015165377.tif 000024
【図１７Ｂ】
2015165377.tif 000025
【図１８Ａ】
2015165377.tif 000026
【図１８Ｂ】
2015165377.tif 000027
【図１８Ｃ】
2015165377.tif 000028
【図１９Ａ】
2015165377.tif 000029
【図１９Ｂ】
2015165377.tif 000030
【図２０Ａ】
2015165377.tif 000031
【図２０Ｂ】
2015165377.tif 000032
【図２１Ａ】
2015165377.tif 000033
【図２１Ｂ】
2015165377.tif 000034